(57)【要約】【課題】所謂ドット表示方式を用いた図柄演出を行う場合に、複雑な表示態様の図柄演出を実行して遊技性を向上させることができる遊技機を提供する。【解決手段】発光ダイオードからなる多数のドットマトリックス表示素子２００を縦横に配列した基板２０２と、ドットマトリックス表示素子２００にそれぞれ対応する多数の桝目２０４が区画形成された格子状の枠体２０６と、で構成された表示部を有する演出図柄表示装置６２、を備えた遊技機であって、枠体２０６の前面側であってドットマトリックス表示素子２００の前方の部位に、ドットマトリックス表示素子２００からの光を遊技者側に導く導光部材２１０Ａ、２１０Ｂ、２１０Ｃを設けたことを特徴とする。【選択図】      図１０
2010213942.tif 000002
【特許請求の範囲】
【請求項１】
発光ダイオードからなる多数のドットマトリックス表示素子を縦横に配列した表示部を有する演出図柄表示装置、を備えた遊技機であって、
前記演出図柄表示装置は、前記ドットマトリックス表示素子の特定箇所を点灯させることにより図柄を表示するドットマトリックス表示を行い、前記ドットマトリックス表示は前記表示部の表示方向の始点側から終点側に向けてスクロール表示するものであり、
前記演出図柄表示装置は、前記枠体の前面側であって、前記表示部の表示方向の始点側又は終点側の前方の部位に、前記表示部の表示面に対して所定の角度で突出して配置され前記ドットマトリックス表示素子からの光を遊技者側に導く導光部材を有することを特徴とする遊技機。
【請求項２】
前記導光部材は、前記ドットマトリックス表示素子からの光を拡散させる拡散部を有することを特徴とする請求項１に記載の遊技機。
【請求項３】
前記拡散部は、導光部材の表面に形成された溝部であることを特徴とする請求項２に記載の遊技機。
【請求項４】
前記導光部材は、前記ドットマトリックス表示素子のそれぞれの前方に位置するように前記表示部の始点側又は終点側に複数設けられ、
前記表示部の始点側又は終点側に隣接する前記導光部材の間には、黒色の仕切り部材が設けられていることを特徴とする請求項１乃至３のいずれか１項に記載の遊技機。
【発明の詳細な説明】
【技術分野】
【０００１】
本発明は、パチンコ機などの遊技機に関する。
【背景技術】
【０００２】
従来のパチンコ機（遊技機の一種である弾球遊技機を意味する）の演出図柄表示装置６２として、発光ダイオードからなる多数のドットマトリックス表示素子を縦横に配列した基板と、ドットマトリックス表示素子にそれぞれ対応する多数の桝目が区画形成された格子状の枠体と、枠体の前面側に貼り付けられた光拡散シートと、で構成された表示部を備えたものがある（下記特許文献１参照）。この表示部によれば、枠体の桝目にそれぞれ収められたドットマトリックス表示素子の所定のドット数の発光により、所定の数字、文字、図柄などからなる特別図柄の演出図柄（後述）が表示（ドット表示）可能となっている（ドット表示方式）。
【先行技術文献】
【特許文献】
【０００３】
【特許文献１】特開平８−２２４３３８号公報
【発明の概要】
【発明が解決しようとする課題】
【０００４】
ところで、上記従来技術のパチンコ機は、遊技者から見て表示部の上側から下側に向ってドット表示がスクロールされるように、特別図柄の演出図柄が表示される。そして、表示部によるドット表示は、２色で行われる場合が多いため、単純な表示形態になるという問題が生じる。この結果、ドット表示を特別図柄の演出図柄の表示方式に用いた場合には、遊技状態や遊技内容を示す特別図柄の演出に、斬新さや面白みがなくなり、遊技状態を問わず、遊技の盛り上がりに欠け、遊技性が低下するおそれがある。
【０００５】
そこで、本発明は、所謂ドット表示方式を用いた図柄演出を行う場合に、複雑な表示態様の図柄演出を実行して遊技性を向上させることができる遊技機を提供することを目的とする。
【課題を解決するための手段】
【０００６】
第１発明は、発光ダイオードからなる多数のドットマトリックス表示素子を縦横に配列した表示部を有する演出図柄表示装置、を備えた遊技機であって、前記演出図柄表示装置は、前記ドットマトリックス表示素子の特定箇所を点灯させることにより図柄を表示するドットマトリックス表示を行い、前記ドットマトリックス表示は前記表示部の表示方向の始点側から終点側に向けてスクロール表示するものであり、前記演出図柄表示装置は、前記枠体の前面側であって、前記表示部の表示方向の始点側又は終点側の前方の部位に、前記表示部の表示面に対して所定の角度で突出して配置され前記ドットマトリックス表示素子からの光を遊技者側に導く導光部材を有することを特徴とする。
【０００７】
第１発明によれば、枠体の前面側であってドットマトリックス表示素子の前方の部位に、表示部の表示面に対して所定の角度で突出して配置されドットマトリックス表示素子からの光を遊技者側に導く導光部材が設けられているため、ドットマトリックス表示素子からの光が導光部材を通過して遊技者側に導かれる。これにより、ドットマトリックス表示素子の発光で表示される図柄表示を遊技者側に視認し易くすることができるとともに、光が導光部材に入射して導光部材から出射するときに、導光部材の光の屈折率により光の進路が適宜変化するため、ドットマトリックス表示素子の発光で表示される図柄表示の表示態様が変化する。この結果、ドットマトリックス表示素子の発光で表示される図柄表示の表示態様を複雑かつ斬新なものにすることができ、遊技性を向上させることができる。
【０００８】
第２発明は、第１発明において、前記導光部材は、前記ドットマトリックス表示素子からの光を拡散させる拡散部を有することを特徴とする。
【０００９】
第２発明によれば、導光部材は、ドットマトリックス表示素子からの光を拡散させる拡散部を有しているため、導光部材を通過した光は、拡散して遊技者に視認される。これにより、導光部材を通過した光の進路を大きく変え、光を発散させることができるため、ドットマトリックス表示素子の発光で表示される図柄表示の表示態様を一層複雑かつ斬新なものにすることができ、遊技性をさらに向上させることができる。
【００１０】
第３発明は、第３発明において、前記拡散部は、導光部材の表面に形成された溝部であることを特徴とする。
【００１１】
第３発明によれば、拡散部は、導光部材の表面に形成された溝部であるため、導光部材の表面を加工するだけで、拡散部を容易に作り出すことができる。
【００１２】
第４発明は、第１発明から第３発明のいずれかにおいて、前記導光部材は、前記ドットマトリックス表示素子のそれぞれの前方に位置するように前記表示部の始点側又は終点側に複数設けられ、前記表示部の始点側又は終点側に隣接する前記導光部材の間には、黒色の仕切り部材が設けられていることを特徴とする。
【００１３】
第４発明によれば、表示部の始点側又は終点側にわたって隣接する導光部材の間には、黒色の仕切り部材が設けられているため、複数の導光部材と複数のドットマトリックス表示素子を有する場合でも、遊技者から見て、導光部材とドットマトリックス表示素子との対応関係が明確になる。この結果、桁又は行ごとの図柄の表示態様を個別に複雑かつ斬新なものにすることができるため、遊技性を一層高めることができる。
【００１４】
なお、ドットマトリックス表示素子が表示部の左右方向にわたって複数設けられる構成は、表示部に表示される図柄が複数の桁になる態様を意味しており、また、ドットマトリックス表示素子が表示部の上下方向にわたって複数設けられる構成は、表示部に表示される図柄が複数の行になる態様を意味している。
【発明の効果】
【００１５】
本発明によれば、所謂ドット表示方式を用いた演出を行う場合に、複雑あるいは斬新な表示態様の演出を実行して遊技性を向上させることができる。
【図面の簡単な説明】
【００１６】
【図１】本発明の第１実施形態に係る遊技機の正面図である。
【図２】本発明の第１実施形態に係る遊技機の遊技盤の正面図である。
【図３】本発明の第１実施形態に係る遊技機の電子制御装置の一部の構成を示すブロック図である。
【図４】本発明の第１実施形態に係る遊技機の電子制御装置を構成するサブ制御基板を説明するための説明図である。
【図５】本発明の第１実施形態に係る遊技機の図柄表示装置を構成する表示部の斜視図である。
【図６】本発明の第１実施形態に係る遊技機の図柄表示装置を構成する表示部の内部構造を説明するための説明図である。
【図７】本発明の第１実施形態に係る遊技機の図柄表示装置の上側に配置される導光部材の斜視図である。
【図８】本発明の第１実施形態に係る遊技機の図柄表示装置の下側に配置される導光部材の斜視図である。
【図９】本発明の第１実施形態に係る遊技機の図柄表示装置に上側の導光部材と下側の導光部材が配置された状態の部分的な側面図である。
【図１０】本発明の第１実施形態に係る遊技機の図柄表示装置の表示面の正面図である。
【図１１】本発明の第１実施形態に係る遊技機の図柄表示装置の表示面であって、表示部の左演出図柄表示領域及び右演出図柄表示領域において図柄（特別図柄の演出図柄）が確定停止表示され、表示部の中央演出図柄表示領域において図柄（特別図柄の演出図柄）が表示されていない状態の正面図である。
【図１２】本発明の第１実施形態に係る遊技機の図柄表示装置の表示面であって、表示部の左演出図柄表示領域及び右演出図柄表示領域において図柄（特別図柄の演出図柄）が確定停止表示され、表示部の中央演出図柄表示領域において図柄（特別図柄の演出図柄）の大部分が上側の導光部材を透過して表示された状態の正面図である。
【図１３】本発明の第１実施形態に係る遊技機の図柄表示装置の表示面であって、表示部の左演出図柄表示領域及び右演出図柄表示領域において図柄（特別図柄の演出図柄）が確定停止表示され、表示部の中央演出図柄表示領域において図柄（特別図柄の演出図柄）の一部分が上側の導光部材を透過して表示された状態の正面図である。
【図１４】本発明の第１実施形態に係る遊技機の図柄表示装置の表示面であって、表示部の左演出図柄表示領域、中央演出図柄表示領域及び右演出図柄表示領域において図柄（特別図柄の演出図柄）が確定停止表示された状態の正面図である。
【図１５】本発明の第１実施形態に係る遊技機の図柄表示装置の表示面であって、表示部の左演出図柄表示領域及び右演出図柄表示領域において図柄（特別図柄の演出図柄）が確定停止表示され、表示部の中央演出図柄表示領域において図柄（特別図柄の演出図柄）の下側一部分が下側の導光部材を透過して表示された状態の正面図である。
【図１６】本発明の第１実施形態に係る遊技機の図柄表示装置の表示面であって、表示部の左演出図柄表示領域及び右演出図柄表示領域において図柄（特別図柄の演出図柄）が確定停止表示され、表示部の中央演出図柄表示領域において図柄（特別図柄の演出図柄）の下側大部分が下側の導光部材を透過して表示された状態の正面図である。
【図１７】本発明の第１実施形態に係る遊技機の変形例となる遊技機の図柄表示装置の表示面の正面図である。
【図１８】本発明の第１実施形態に係る遊技機の変形例となる遊技機の図柄表示装置の表示面であって、表示部の左演出図柄表示領域及び右演出図柄表示領域において図柄（特別図柄の演出図柄）が確定停止表示され、表示部の中央演出図柄表示領域において図柄（特別図柄の演出図柄）が表示されていない状態の正面図である。
【図１９】本発明の第１実施形態に係る遊技機の変形例となる遊技機の図柄表示装置の表示面であって、表示部の左演出図柄表示領域及び右演出図柄表示領域において図柄（特別図柄の演出図柄）が確定停止表示され、上表示部の中央演出図柄表示領域において図柄（特別図柄の演出図柄）が表示された状態の正面図である。
【図２０】本発明の第１実施形態に係る遊技機の変形例となる遊技機の図柄表示装置の表示面であって、表示部の左演出図柄表示領域及び右演出図柄表示領域において図柄（特別図柄の演出図柄）が確定停止表示され、中央演出図柄表示領域において図柄（特別図柄の演出図柄）の下側一部分が上側の導光部材を透過して表示された状態の正面図である。
【図２１】本発明の第１実施形態に係る遊技機の変形例となる遊技機の図柄表示装置の表示面であって、表示部の左演出図柄表示領域及び右演出図柄表示領域において図柄（特別図柄の演出図柄）が確定停止表示され、中央演出図柄表示領域において図柄（特別図柄の演出図柄）の上側一部分が上側の導光部材を透過して表示された状態の正面図である。
【図２２】本発明の第１実施形態に係る遊技機の変形例の遊技機の図柄表示装置の表示面であって、表示部の左演出図柄表示領域、中央演出図柄表示領域及び右演出図柄表示領域において図柄（特別図柄の演出図柄）が確定停止表示された状態の正面図である。
【図２３】本発明の第１実施形態に係る遊技機の変形例となる遊技機の図柄表示装置の表示面であって、表示部の左演出図柄表示領域及び右演出図柄表示領域において図柄（特別図柄の演出図柄）が確定停止表示され、中央演出図柄表示領域において図柄（特別図柄の演出図柄）の下側一部分が下側の導光部材を透過して表示された状態の正面図である。
【図２４】本発明の第１実施形態に係る遊技機の変形例となる遊技機の図柄表示装置の表示面であって、表示部の左演出図柄表示領域及び右演出図柄表示領域において図柄（特別図柄の演出図柄）が確定停止表示され、中央演出図柄表示領域において図柄（特別図柄の演出図柄）の上側一部分が下側の導光部材を透過して表示された状態の正面図である。
【図２５】本発明の第１実施形態に係る遊技機の変形例となる遊技機の図柄表示装置の表示面であって、表示部の左演出図柄表示領域及び右演出図柄表示領域において図柄（特別図柄の演出図柄）が確定停止表示され、下表示部の中央演出図柄表示領域において図柄（特別図柄の演出図柄）が表示された状態の正面図である。
【図２６】本発明の第２実施形態に係る遊技機の図柄表示装置の表示面の正面図である。
【図２７】本発明の第２実施形態に係る遊技機の図柄表示装置の左側に配置される導光部材の斜視図である。
【図２８】本発明の第２実施形態に係る遊技機の図柄表示装置の右側に配置される導光部材の斜視図である。
【図２９】本発明の第２実施形態に係る遊技機の図柄表示装置の表示面であって、表示部の上演出図柄表示領域及び下演出図柄表示領域において図柄（特別図柄の演出図柄）が確定停止表示され、表示部の中央演出図柄表示領域において図柄（特別図柄の演出図柄）が表示されていない状態の正面図である。
【図３０】本発明の第２実施形態に係る遊技機の図柄表示装置の表示面であって、表示部の上演出図柄表示領域及び下演出図柄表示領域において図柄（特別図柄の演出図柄）が確定停止表示され、表示部の中央演出図柄表示領域において図柄（特別図柄の演出図柄）の大部分が左側の導光部材を透過して表示された状態の正面図である。
【図３１】本発明の第２実施形態に係る遊技機の図柄表示装置の表示面であって、表示部の上演出図柄表示領域及び下演出図柄表示領域において図柄（特別図柄の演出図柄）が確定停止表示され、表示部の中央演出図柄表示領域において図柄（特別図柄の演出図柄）の一部分が左側の導光部材を透過して表示された状態の正面図である。
【図３２】本発明の第２実施形態に係る遊技機の図柄表示装置の表示面であって、表示部の上演出図柄表示領域及び下演出図柄表示領域において図柄（特別図柄の演出図柄）が確定停止表示され、表示部の中央演出図柄表示領域の左部位において図柄（特別図柄の演出図柄）が表示された状態の正面図である。
【図３３】本発明の第２実施形態に係る遊技機の図柄表示装置の表示面であって、表示部の上演出図柄表示領域、中央演出図柄表示領域及び下演出図柄表示領域において図柄（特別図柄の演出図柄）が確定停止表示された状態の正面図である。
【図３４】本発明の第２実施形態に係る遊技機の図柄表示装置の表示面であって、表示部の上演出図柄表示領域及び下演出図柄表示領域において図柄（特別図柄の演出図柄）が確定停止表示され、表示部の中央演出図柄表示領域の右部位において図柄（特別図柄の演出図柄）が表示された状態の正面図である。
【図３５】本発明の第２実施形態に係る遊技機の図柄表示装置の表示面であって、表示部の上演出図柄表示領域及び下演出図柄表示領域において図柄（特別図柄の演出図柄）が確定停止表示され、表示部の中央演出図柄表示領域において図柄（特別図柄の演出図柄）の一部分が右側の導光部材を透過して表示された状態の正面図である。
【図３６】本発明の第２実施形態に係る遊技機の図柄表示装置の表示面であって、表示部の上演出図柄表示領域及び下演出図柄表示領域において図柄（特別図柄の演出図柄）が確定停止表示され、表示部の中央演出図柄表示領域において図柄（特別図柄の演出図柄）の大部分が右側の導光部材を透過して表示された状態の正面図である。
【図３７】本発明の第２実施形態に係る遊技機の変形例となる遊技機の図柄表示装置の表示面の正面図である。
【図３８】本発明の第２実施形態に係る遊技機の変形例となる遊技機の図柄表示装置の表示面であって、表示部の上演出図柄表示領域及び下演出図柄表示領域において図柄（特別図柄の演出図柄）が確定停止表示され、表示部の中央演出図柄表示領域において図柄（特別図柄の演出図柄）が表示されていない状態の正面図である。
【図３９】本発明の第２実施形態に係る遊技機の変形例となる遊技機の図柄表示装置の表示面であって、表示部の上演出図柄表示領域及び下演出図柄表示領域において図柄（特別図柄の演出図柄）が確定停止表示され、左表示部の中央演出図柄表示領域において図柄（特別図柄の演出図柄）が表示された状態の正面図である。
【図４０】本発明の第２実施形態に係る遊技機の変形例となる遊技機の図柄表示装置の表示面であって、表示部の上演出図柄表示領域及び下演出図柄表示領域において図柄（特別図柄の演出図柄）が確定停止表示され、中央演出図柄表示領域において図柄（特別図柄の演出図柄）の右側一部分が左側の導光部材を透過して表示された状態の正面図である。
【図４１】本発明の第２実施形態に係る遊技機の変形例となる遊技機の図柄表示装置の表示面であって、表示部の上演出図柄表示領域及び下演出図柄表示領域において図柄（特別図柄の演出図柄）が確定停止表示され、中央演出図柄表示領域において図柄（特別図柄の演出図柄）の左側一部分が左側の導光部材を透過して表示された状態の正面図である。
【図４２】本発明の第２実施形態に係る遊技機の変形例となる遊技機の図柄表示装置の表示面であって、表示部の上演出図柄表示領域及び下演出図柄表示領域において図柄（特別図柄の演出図柄）が確定停止表示され、表示部の中央演出図柄表示領域の左部位において図柄（特別図柄の演出図柄）が表示された状態の正面図である。
【図４３】本発明の第２実施形態に係る遊技機の変形例の遊技機の図柄表示装置の表示面であって、表示部の上演出図柄表示領域、中央演出図柄表示領域及び下演出図柄表示領域において図柄（特別図柄の演出図柄）が確定停止表示された状態の正面図である。
【図４４】本発明の第２実施形態に係る遊技機の変形例となる遊技機の図柄表示装置の表示面であって、表示部の上演出図柄表示領域及び下演出図柄表示領域において図柄（特別図柄の演出図柄）が確定停止表示され、表示部の中央演出図柄表示領域の右部位において図柄（特別図柄の演出図柄）が表示された状態の正面図である。
【図４５】本発明の第２実施形態に係る遊技機の変形例となる遊技機の図柄表示装置の表示面であって、表示部の上演出図柄表示領域及び下演出図柄表示領域において図柄（特別図柄の演出図柄）が確定停止表示され、中央演出図柄表示領域において図柄（特別図柄の演出図柄）の右側一部分が右側の導光部材を透過して表示された状態の正面図である。
【図４６】本発明の第２実施形態に係る遊技機の変形例となる遊技機の図柄表示装置の表示面であって、表示部の上演出図柄表示領域及び下演出図柄表示領域において図柄（特別図柄の演出図柄）が確定停止表示され、中央演出図柄表示領域において図柄（特別図柄の演出図柄）の左側一部分が右側の導光部材を透過して表示された状態の正面図である。
【図４７】本発明の第２実施形態に係る遊技機の変形例となる遊技機の図柄表示装置の表示面であって、表示部の上演出図柄表示領域及び下演出図柄表示領域において図柄（特別図柄の演出図柄）が確定停止表示され、右表示部の中央演出図柄表示領域において図柄（特別図柄の演出図柄）が表示された状態の正面図である。
【発明を実施するための形態】
【００１７】
本発明の第１実施形態に係る遊技機について説明する。
なお、遊技機として、パチンコ機を一例に挙げて、以下に説明する。また、本明細書では、「上側」、「下側」、「右側」及び「左側」は、パチンコ機を置いてこれに向かい合う遊技者（パチンコ機で遊技をしている遊技者）を基準とした方向を意味するものである。すなわち、「上側」とは、パチンコ機と対面する遊技者から見て上側を意味し、「下側」とは、パチンコ機と対面する遊技者から見て下側を意味し、「右側」とは、パチンコ機と対面する遊技者から見て右側を意味し、「左側」とは、パチンコ機と対面する遊技者から見て左側を意味する。
【００１８】
図１に示すように、第１実施形態に係るパチンコ機（遊技機）１０の前面部には、主として、外枠１２と、内枠１４と、前面枠１６と、上皿部１８と、下皿部２０と、施錠装置２２と、発射ハンドル２４などが設けられている。
【００１９】
外枠１２は、木製の板状体を略長方形の額縁状に組立て固着したものである。内枠１４は、全体がブラスチック製で、外枠１２に対して開閉可能に軸支されている。また、内枠１４の右端中央からやや下方には、施錠装置２２が設けられている。
【００２０】
前面枠１６は、本発明の前面扉の一具体例を示すもので、パチンコ機１０の前面部全体の約２／３のサイズを占め、内枠１４の左端に開閉可能となるように軸支されている。また、前面枠１６は、全体がプラスチック製であり、遊技盤２６（図２参照）を前方から視認するべく、遊技盤２６に形成された遊技領域２８（図２参照）の形状に対応して略円形に形成された開口部３０を有している。また、前面枠１６の裏面には、ガラス板３２がガラス枠（図示省略）によって取り付けられている。そして、遊技者を基準とすれば、遊技盤２６に形成された遊技領域２８はガラス板３２の後方に位置するようになっている。
【００２１】
前面枠１６の下方側には、上皿部１８が設けられている。この上皿部１８には、演出ボタン４０と、球貸操作部１５５と、がそれぞれ設けられている。
【００２２】
上皿部１８の下方側には、下皿部２０が設けられている。また、下皿部２０の右下方側には、遊技球を発射させるための発射ハンドル２４が設けられている。この発射ハンドル２４には、発射レバー４４と、発射停止ボタン４６がそれぞれ設けられている。
【００２３】
下皿部２０の左右下方側には、所定の効果音を出力するための各サブスピーカ４８がそれぞれ設けられている。
【００２４】
内枠１４には、遊技領域２８の形状に合致した開口部（図示省略）が形成されている。この内枠１４の内側面には、遊技盤２６が取り付けられる。これにより、遊技者は、遊技盤２６の遊技領域２８を内枠１４の開口部及び前面枠１６の開口部３０を通して視認することができる。
【００２５】
パチンコ機１０の正面左側には、球貸装置１５４が設けられている。本実施形態では、球貸装置１５４として、ＣＲユニットが適用されている。この球貸装置１５４には、プリペイドカードを挿入するカード挿入口１５７が形成されている。なお、球貸装置１５４として、現金ユニットを設けた構成でもよい。この現金ユニットには、カード挿入口１５７に替えて、現金を入れるための現金投入口（図示省略）が形成されている。
【００２６】
球貸操作部１５５には、球貸しを要求するための球貸スイッチ（貸出操作手段）１５６、カード挿入口１５７に挿入されたプリペイドカードの返却を要求するための返却スイッチ１５８と、がそれぞれ設けられている。
【００２７】
例えば、球貸装置１５４のカード挿入口１５７にプリペイドカードを挿入すると、プリペイドカードの記憶情報が球貸装置１５４内部のカードリードライタにより読み取られる。プリペイドカードの残り度数が「０」である場合には、カード挿入口１５７から自動的にプリペイドカードが返却される。一方、プリペイドカードの残り度数が「０」でない場合には、球貸スイッチ１５６を押圧操作すると、カードリードライタによりプリペイドカードの残り度数が減算されてプリペイドカードの記憶情報が書き換えられると共に、その減算された度数（貸出金額）に対応する個数が引かれて、遊技球（貸球）が払出装置１６１（図３参照）から上皿部１８に案内される。このとき、例えば、プリペイドカードの残り度数が減算されて「０」となった場合には、カード挿入口１５７から自動的にプリペイドカードが返却される。
【００２８】
なお、球貸装置１５４として現金ユニットを用いる構成では、球貸装置の現金投入口に現金を投入すると、現金が球貸装置内部のキャッシュカウンタによりカウントされる。投入金額が所定の額に到達した後、球貸スイッチを押圧操作すると、キャッシュカウンタにより投入金額が減額されていくとともに、その減額された金額（貸出金額）に対応する個数が引かれて、遊技球（貸球）が払出装置１６１（図３参照）から上皿部１８に案内される。
【００２９】
次に、遊技盤２６の表面構造について説明する。
【００３０】
図２に示すように、遊技盤２６は、内枠１４に保持されるとともに、裏機構盤によりその背面側が覆われている。遊技盤２６には、遊技盤２６の表面に設けられた外レール５０と内レール５２とにより略円形状の遊技領域２８が形成されている。遊技領域２８の内部には、主として、始動口５６Ｂと、センター役物６４と、ワープ入球口５８と、多数の障害釘６０等と、がそれぞれ配設されている。
【００３１】
センター役物６４は、遊技領域２８の略中央部に配置されており、主として、演出図柄表示装置（図柄表示装置）６２と、ランプ類６６と、を備えている。
【００３２】
演出図柄表示装置６２は、図５及び図６に示すように、発光ダイオードからなる多数のドットマトリックス表示素子２００を縦横に配列した基板２０２と、ドットマトリックス表示素子２００にそれぞれ対応する多数の桝目２０４が区画形成された格子状の枠体２０６と、枠体２０６の前面側に貼り付けられた光拡散シート２０８と、で構成された表示部１９８を有している。なお、光拡散シート２０８は、特別図柄の演出図柄（後述）を表示する表示部１９８の表示面６２Ａとして機能している。そして、枠体２０６の桝目２０４にそれぞれ収められたドットマトリックス表示素子２００の所定のドット数の発光により、所定の数字、文字、図柄などからなる特別図柄の演出図柄（後述）が表示可能となっている。なお、ドットマトリックス表示素子２００の発光により実現する演出図柄の表示は、２色で実現される。また、表示面６２Ａの左側に位置する複数のドットマトリックス表示素子２００で左演出図柄表示領域Ｓ１（図１０参照）を構成し、表示面６２Ａの中央側に位置する複数のドットマトリックス表示素子２００で中央演出図柄表示領域Ｓ２（図１０参照）を構成し、表示面６２Ａの右側に位置する複数のドットマトリックス表示素子２００で右演出図柄表示領域Ｓ３（図１０参照）を構成するように設定されている。
【００３３】
演出図柄表示装置６２は、主制御基板１０２（図３参照）やサブ制御基板１０６（図３参照）からの制御信号に基づいて表示制御される。演出図柄表示装置６２の表示部１９８の表示面６２Ａ上には、上述したように、特別図柄の演出図柄が表示される。具体的には、演出図柄表示装置６２の表示面６２Ａ上には、１又は複数の演出図柄を所定の方向に次々と変動させながら表示した後、停止表示する演出図柄表示領域Ｓ１、Ｓ２、Ｓ３（図１０参照）が形成されている。すなわち、左演出図柄（左側に位置する特別図柄の演出図柄）を表示する左演出図柄表示領域Ｓ１、中央演出図柄（中央側に位置する特別図柄の演出図柄）を表示する中央演出図柄表示領域Ｓ２、及び右演出図柄（右側に位置する特別図柄の演出図柄）を表示する右演出図柄表示領域Ｓ３が、略横一列となる配置方向に沿って並んで形成されている（それぞれ図示省略）。各演出図柄表示領域Ｓ１、Ｓ２、Ｓ３は、これらの表示領域の配置方向と略直交する方向（上下方向）に図柄変動方向が設定されており、上下方向（上側から下側）に複数の演出図柄が順次表示されていく。このように、本実施形態では、表示面６２Ａには、表示面６２Ａの左右方向にわたって３桁（複数）の特別図柄の演出図柄がそれぞれ上側から下側にスクロールするかのように表示されていく。
【００３４】
演出図柄表示装置６２は、遊技球が始動口５６Ｂに入球することにより、その表示面６２Ａの各演出図柄表示領域Ｓ１、Ｓ２、Ｓ３に表示される各演出図柄をそれぞれ変動させて停止表示させるものである。そして、例えば、特別図柄の演出図柄が「７、７、７」の３桁同一図柄で揃って停止表示（確定表示）すると、変動入賞装置８０に配設された大入賞装置８４の大入賞口８６が開放される。本実施形態のパチンコ機１０では始動口５６Ｂに遊技球が入球すると、各演出図柄がそれぞれ変動され、演出図柄が３桁同一図柄で揃うことにより、「大当り」という特定価値を付与するものである。
【００３５】
ここで、本実施形態のパチンコ機１０では、例えば、大当りとして２種類のものが予め設定されている。具体的には、「７、７、７」などの同一の奇数数字の演出図柄が３桁揃うことにより成立する確変大当りがある。また、「８、８、８」などの同一の偶数数字の演出図柄が３桁揃うことにより成立する通常大当りがある。
【００３６】
確変大当り及び通常大当りは、比較的多くのラウンド数（例えば、１５ラウンド）を有し、大入賞口８６の開放時間が約２６秒間である大当りである。このため、賞球数が比較的多くなる。なお、各大当りでは、大入賞口８６に所定数（例えば、１０個）の遊技球が入球するか、あるいは所定数（例えば、１０個）の遊技球が入球しなくても所定時間（例えば、２６秒間）が経過したときに大入賞口８６が閉じられて１ラウンドが終了する。
【００３７】
確率変動状態は、大当り（確変大当り及び通常大当りの２種類の大当りを意味する）に移行する確率が予め定められた高確率となる状態である。また、開放時間延長状態は、始動口５６Ｂの開放時間が通常よりも延長される状態である。例えば、通常の開放時間は、約０．１秒間であるのに対して、開放時間延長状態では、約４秒間に延長される。なお、始動口５６Ｂは、普通図柄の抽選に当選することにより開放するもので、普通電動役物として機能する。
【００３８】
確変大当りの後は、大当りに移行する確率が、通常遊技状態と比べ予め定められた高確率となる、特別図柄の確率変動状態になる。そして、次回大当りが発生するまでの間か、あるいは規定回数（例えば、１００００回）の特別図柄の変動表示が行われるまでの間、特別図柄及び普通図柄の変動時間が短縮され、かつ始動口５６Ｂの開放延長機能が作動する。また、通常大当りの後は、大当りに移行する確率が通常遊技状態と同一の予め定められた低確率状態となるとともに、規定回数（例えば、１００回）だけ特別図柄及び普通図柄の変動時間が短縮され、かつ始動口５６Ｂの開放延長機能が作動する時短遊技状態となる。
【００３９】
ここで、図２、図７、図８、図９及び図１０に示すように、表示部１９８の表示面６２Ａを構成する光拡散シート２０８の表面上側の部位には、導光部材２１０Ａ、２１０Ｂ、２１０Ｃが光拡散シート２０８の左右方向にわたって３個並んで配置されている。各導光部材２１０Ａ、２１０Ｂ、２１０Ｃは、３個の特別図柄の演出図柄に対応するものであり、各導光部材２１０Ａ、２１０Ｂ、２１０Ｃは、それぞれ対応する特別図柄の演出図柄（特に、表示面６２Ａの上側から中央側にスクロール表示されていく最中の特別図柄の演出図柄）を形成する一部の光を表示面６２Ａ（光拡散シート２０８）の前方側（遊技者側）に導き通す。光拡散シート２０８の左右方向にわたって隣接している各導光部材２１０Ａ、２１０Ｂ、２１０Ｃの間には、黒色の仕切り部材２１２が配置されている。各仕切り部材２１２は、ドットマトリックス表示素子２００の前方側に位置する部位から避けるように（ドットマトリックス表示素子２００が対応しない位置に）配置されており、かつドットマトリックス表示素子２００の光が透過しないようになっている。このため、各仕切り部材２１２からドットマトリックス表示素子２００の光が透過して遊技者に視認されることはない。
【００４０】
表示部１９８の表示面６２Ａを構成する光拡散シート２０８の表面下側の部位には、導光部材２１４Ａ、２１４Ｂ、２１４Ｃが光拡散シート２０８の左右方向にわたって３個並んで配置されている。各導光部材２１４Ａ、２１４Ｂ、２１４Ｃは、３個の特別図柄の演出図柄に対応するものであり、各導光部材２１４Ａ、２１４Ｂ、２１４Ｃは、それぞれ対応する特別図柄の演出図柄（特に、表示面６２Ａの中央側から下側にスクロール表示されていく最中の特別図柄の演出図柄）を形成する一部の光を表示面６２Ａ（光拡散シート２０８）の前方側（遊技者側）に導き通す。光拡散シート２０８の左右方向にわたって隣接している各導光部材２１４Ａ、２１４Ｂ、２１４Ｃの間には、黒色の仕切り部材２１６が配置されている。各仕切り部材２１６は、ドットマトリックス表示素子２００の前方側に位置する部位から避けるように（ドットマトリックス表示素子２００が対応しない位置に）配置されており、かつドットマトリックス表示素子２００の光が透過しないようになっている。このため、各仕切り部材２１６からドットマトリックス表示素子２００の光が透過して遊技者に視認されることはない。
【００４１】
なお、表示面６２Ａの上側の左側に位置する導光部材２１０Ａと下側の左側に位置する導光部材２１４Ａとは対応しており、両方の導光部材２１０Ａ、２１４Ａの間を、表示面６２Ａの左演出図柄表示領域Ｓ１に表示される左演出図柄に対応する特別図柄の演出図柄が上側から下側に向ってスクロール表示する。また、上側の中央側に位置する導光部材２１０Ｂと下側の中央側に位置する導光部材２１４Ｂとは対応しており、両方の導光部材２１０Ｂ、２１４Ｂの間を、表示面６２Ａの中央演出図柄表示領域Ｓ２に表示される中央演出図柄に対応する特別図柄の演出図柄が上側から下側に向ってスクロール表示する。さらに、上側の右側に位置する導光部材２１０Ｃと下側の右側に位置する導光部材２１４Ｃとは対応しており、両方の導光部材２１０Ｃ、２１４Ｃの間を、表示面６２Ａの右演出図柄表示領域Ｓ３に表示される右演出図柄に対応する特別図柄の演出図柄が上側から下側に向ってスクロール表示する。
【００４２】
全ての導光部材２１０Ａ、２１０Ｂ、２１０Ｃ、２１４Ａ、２１４Ｂ、２１４Ｃは、表示部１９８の表示面６２Ａの領域の内側に配置されている。このため、全ての導光部材２１０Ａ、２１０Ｂ、２１０Ｃ、２１４Ａ、２１４Ｂ、２１４Ｃが表示部１９８の表示面６２Ａの領域の外側に突出している構成ではないので、表示面６２Ａの領域の外側に、各導光部材２１０Ａ、２１０Ｂ、２１０Ｃ、２１４Ａ、２１４Ｂ、２１４Ｃを設置するスペースを確保する必要がない。このため、表示部１９８及び演出図柄表示装置６２を大型化することがなく、各導光部材２１０Ａ、２１０Ｂ、２１０Ｃ、２１４Ａ、２１４Ｂ、２１４Ｃを設置したことにより、遊技領域２８が実質的に狭くなることを防止できる。
【００４３】
次に、導光部材２１０Ａ、２１０Ｂ、２１０Ｃ、２１４Ａ、２１４Ｂ、２１４Ｃの構成について詳細に説明する。先ず、上側に位置する導光部材２１０Ａ、２１０Ｂ、２１０Ｃのうち、中央側に位置する導光部材２１０Ｂを一例に挙げて説明する。また、続いて、下側に位置する導光部材２１４Ａ、２１４Ｂ、２１４Ｃのうち、導光部材２１４Ｂを一例に挙げて説明する。
【００４４】
図７に示すように、上側に配置された導光部材２１０Ｂは、６側面を有する略平板状で、かつ無色あるいは有色の透明の樹脂（本実施形態では、白色で透明の樹脂）で構成されている。導光部材２１０Ｂの表面（底面以外の他の５側面）には、複数の溝部２１８、２２６（拡散部）が導光部材２１０Ｂの幅方向にわたって連続して形成されており、導光部材２１０Ｂは、全体として波板形状となるように構成されている。このため、導光部材２１０Ｂの表面には、各溝部２１８、２２６を構成する２つの傾斜面２２０、２２８（Ｖ字傾斜面）が形成され、表面積が大きくなる。導光部材２１０Ｂの底面は、溝部が形成されておらず、平面状になっており、表示面６２Ａと面接触可能となっている。なお、導光部材２１０Ｂの底面が表示面６２Ａと接触している構成であると、表示面６２Ａから出射した光が導光部材２１０Ｂに入射し易くなるため、好ましいが、僅かに離間していてもよい。
【００４５】
上側に配置された導光部材２１０Ｂの正面側に位置する一側面２２２に形成された溝部２１８の形成方向（延在方向（溝部２１８が延びる方向））は、遊技している遊技者から見て上下方向（表示面６２Ａの面方向、図１０中矢印Ｘ方向）となるように設定されている。このため、導光部材２１０Ｂの正面側の一側面２２２には、上下方向に延びた複数の溝部２１８が左右方向（図１０中矢印Ｙ方向）にわたって連続して形成されている。また、導光部材２１０Ｂの正面側の一側面２２２に形成された各溝部２１８は、１つの溝底部２１８Ａと、２つの傾斜面２２０である溝壁面２１８Ｂと、で構成されている。
【００４６】
なお、導光部材２１０Ｂの正面側に位置する一側面２２２に形成された「溝部２１８」という表現に替えて、「山部」と表現することもできる。すなわち、導光部材２１０Ｂの正面側に位置する一側面２２２に形成された山部の形成方向（延在方向（山部が延びる方向））は、遊技している遊技者から見て上下方向（表示面６２Ａの面方向）となるように設定されている。このため、導光部材２１０Ｂの正面側の一側面２２２には、上下方向に延びた複数の山部が左右方向にわたって連続して形成されている。また、導光部材２１０Ｂの正面側の一側面２２２に形成された各山部は、１つの山頂部と、２つの山側面と、で構成されている。
【００４７】
また、上側に配置された導光部材２１０Ｂの傾斜している一側面２２４（後述）の溝部２２６の形成方向（延在方向（溝部２２６が延びる方向））は、遊技している遊技者から見て奥行き方向（表示面６２Ａに対して直交方向）となるように設定されている。このため、導光部材２１０Ｂの傾斜している一側面２２４には、奥行き方向に延びた複数の溝部２２６が左右方向にわたって連続して形成されている。また、導光部材２１０Ｂの傾斜している一側面２２４に形成された各溝部２２６は、１つの溝底部２２６Ａと、２つの傾斜面２２８である溝壁面２２６Ｂ、２２６Ｂと、で構成されている。
【００４８】
なお、導光部材２１０Ｂの傾斜している一側面２２４に形成された「溝部２２６」という表現に替えて、「山部」と表現することもできる。すなわち、導光部材２１０Ｂの傾斜している一側面２２４に形成された山部の形成方向（延在方向（山部が延びる方向））は、遊技している遊技者から見て奥行き方向（表示面６２Ａに対して直交方向）となるように設定されている。このため、導光部材２１０Ｂの傾斜している一側面２２４には、奥行き方向に延びた複数の山部が左右方向にわたって連続して形成されている。また、導光部材２１０Ｂの傾斜している一側面２２４に形成された各山部は、１つの山頂部と、２つの山側面と、で構成されている。
【００４９】
以上のように、上側に配置された導光部材２１０Ｂの表面には、複数の溝部２１８、２２６（山部）が形成されており、溝部２１８、２２６（山部）が形成されていない構成と比較して、導光部材２１０Ｂの表面積が格段に大きくなっている。
【００５０】
ここで、図９に示すように、導光部材２１０Ｂの傾斜している一側面２２４は、表示面６２Ａに対して直交するのではなく、所定の角度α（鋭角）で傾斜するように設定されている。すなわち、導光部材２１０Ｂを表示面６２Ａ上に配置したときに、導光部材２１０Ｂの傾斜している一側面２２４が下側から上側に向って上り傾斜した状態になっており、導光部材２１０Ｂの傾斜している一側面２２４が遊技している遊技者に視認可能となる。詳細には、上側の導光部材２１０Ｂの一側面２２４が表示面６２Ａに対して直交していれば、上側の導光部材２１０Ｂの位置がパチンコ機１０と対面する遊技者の目線と略一致するため、遊技している遊技者にとっては、導光部材２１０Ｂの一側面がほとんど視認できないが、導光部材２１０Ｂの一側面２２４が表示面６２Ａに対して所定の角度αで傾斜する構成では、導光部材２１０Ｂの一側面２２４を容易に視認することができる。
【００５１】
導光部材２１０Ｂの傾斜している一側面２２４の表示面６２Ａに対する傾斜角度αは、８０度以上８５度以下（換言すれば、表示面６２Ａに直交する垂線を基準とした場合の傾斜角度が５度以上１０度以下）が好ましい。導光部材２１０Ｂの一側面２２４の表示面６２Ａに対する傾斜角度８０度未満であれば、表示部１９８における特別図柄の演出図柄が変動表示するための各演出図柄表示領域Ｓ１、Ｓ２、Ｓ３の面積が小さくなって不適であり、導光部材２１０Ｂの一側面２２４の表示面６２Ａに対する傾斜角度８０度よりも大きければ、遊技している遊技者が導光部材２１０Ｂの一側面２２４を視認し難くなって不適である。
【００５２】
なお、上側に位置する他の導光部材２１０Ａ、２１０Ｃは、上記導光部材２１０Ｂと同様の構成を有しているので、説明を省略する。
【００５３】
図８に示すように、下側に配置された導光部材２１４Ｂは、６側面を有する略平板状で、かつ無色あるいは有色の透明の樹脂（本実施形態では、白色で透明の樹脂）で構成されている。導光部材２１４Ｂの表面（底面以外の他の５側面）には、複数の溝部２３０、２３８（拡散部）が導光部材２１４Ｂの幅方向にわたって連続して形成されており、導光部材２１４Ｂは、全体として波板形状となるように構成されている。このため、導光部材２１４Ｂの表面には、各溝部２３０、２３８を構成する２つの傾斜面２３２、２４０（Ｖ字傾斜面）が形成され、表面積が大きくなる。導光部材２１４Ｂの底面は、溝部が形成されておらず、平面状になっており、表示面６２Ａと面接触可能となっている。なお、導光部材２１４Ｂの底面が表示面６２Ａと接触している構成であると、表示面６２Ａから出射した光が導光部材２１４Ｂに入射し易くなるため、好ましいが、僅かに離間していてもよい。
【００５４】
下側に配置された導光部材２１４Ｂの正面側に位置する一側面２３４に形成された溝部２３０の形成方向（延在方向（溝部２３０が延びる方向））は、遊技している遊技者から見て上下方向（表示面６２Ａの面方向）となるように設定されている。このため、導光部材２１４Ｂの正面側の一側面２３４には、上下方向に延びた複数の溝部２３０が左右方向にわたって連続して形成されている。また、導光部材２１４Ｂの正面側の一側面２３４に形成された各溝部２３０は、１つの溝底部２３０Ａと、２つの傾斜面２３２である溝壁面２３０Ｂと、で構成されている。
【００５５】
なお、導光部材２１４Ｂの正面側に位置する一側面２３４に形成された「溝部２３０」という表現に替えて、「山部」と表現することもできる。すなわち、導光部材２１４Ｂの正面側に位置する一側面２３４に形成された山部の形成方向（延在方向（山部が延びる方向））は、遊技している遊技者から見て上下方向（表示面６２Ａの面方向）となるように設定されている。このため、導光部材２１４Ｂの正面側の一側面２３４には、上下方向に延びた複数の山部が左右方向にわたって連続して形成されている。また、導光部材２１４Ｂの正面側の一側面２３４に形成された各山部は、１つの山頂部と、２つの山側面と、で構成されている。
【００５６】
また、下側に配置された導光部材２１４Ｂの表示面６２Ａに対して直交している一側面２３６（後述）の溝部２３８の形成方向（延在方向（溝部２３８が延びる方向））は、遊技している遊技者から見て奥行き方向（表示面６２Ａに対して直交方向）となるように設定されている。このため、導光部材２１４Ｂの表示面６２Ａに対して直交している一側面２３６には、奥行き方向に延びた複数の溝部２３８が左右方向にわたって連続して形成されている。また、導光部材２１４Ｂの一側面２３６に形成された各溝部２３８は、１つの溝底部２３８Ａと、２つの傾斜面２４０である溝壁面２３８Ｂと、で構成されている。
【００５７】
なお、導光部材２１４Ｂの表示面６２Ａに対して直交している一側面２３６に形成された「溝部２３８」という表現に替えて、「山部」と表現することもできる。すなわち、導光部材２１４Ｂの表示面６２Ａに対して直交している一側面２３６に形成された山部の形成方向（延在方向（山部が延びる方向））は、遊技している遊技者から見て奥行き方向（表示面６２Ａに対して直交する方向）となるように設定されている。このため、導光部材２１４Ｂの一側面２３６には、奥行き方向に延びた複数の山部が左右方向にわたって連続して形成されている。また、導光部材２１４Ｂの表示面６２Ａに対して直交している一側面２３６に形成された各山部は、１つの山頂部と、２つの山側面と、で構成されている。
【００５８】
以上のように、下側に配置された導光部材２１４Ｂの表面には、複数の溝部２３０、２３８（山部）が形成されており、溝部２３０、２３８（山部）が形成されていない構成と比較して、導光部材２１４Ｂの表面積が格段に大きくなっている。
【００５９】
ここで、図９に示すように、導光部材２１４Ｂの一側面２３６は、表示面６２Ａに対して直交するように設定されている。詳細には、下側の導光部材２１４Ｂの一側面２３６が表示面６２Ａに対して直交している構成でも、下側の導光部材２１４Ｂの一側面２３６がパチンコ機１０と対面する遊技者の目線よりも下側に位置することになるため、遊技している遊技者にとっては、遊技している状態（姿勢）で、導光部材２１４Ｂの一側面２３６をそのまま視認することができる。このように、上側の導光部材２１０Ｂと下側の導光部材２１４Ｂとは、設置された位置（高さ）が異なるため、遊技している遊技者の目線の位置との関係で、視認可能か否かがわかれてしまう。そして、遊技している遊技者の目線の高さと一致する上側の導光部材２１０Ｂの一側面２２４を傾斜させて、その一側面２２４を遊技している遊技者に視認させることにより、導光部材２１０Ｂで導光した光の全てを遊技している遊技者に視認させることができる。また、遊技している遊技者の目線と異なる高さ位置に配置された下側の導光部材２１４Ｂの一側面２３６を表示面６２Ａに対して直交させることにより、表示面６２Ａにおける各演出図柄表示領域Ｓ１、Ｓ２、Ｓ３の面積を犠牲にすることがないため、特別図柄の演出図柄を大きく表示させることができる。
【００６０】
なお、上側の導光部材２１０Ｂの一側面２２４の傾斜角度αの設定は、上側の導光部材２１０Ｂの一側面２２４を表示面６２Ａに対して鋭角に傾斜させ、下側の導光部材２１４Ｂの一側面２３６を表示面６２Ａに対して直交するような設定に限られるものではなく、遊技している遊技者の目線と導光部材との位置関係で決定される。具体的には、遊技している遊技者の目線と同じ高さにある導光部材の一側面を表示面６２Ａに対して鋭角に傾斜させてその傾斜面を遊技している遊技者に視認可能となるようにし、遊技している遊技者の目線と異なる高さにある導光部材の一側面を表示面６２Ａに対して直交させるような設定が好ましい。これにより、表示面６２Ａにおける各演出図柄表示領域Ｓ１、Ｓ２、Ｓ３の面積を確保することができるとともに、導光部材に光を効率良く導光させることができる。
【００６１】
図２に示すように、センター役物６４は、演出図柄表示装置６２の前面周辺部に突設して装着されている。センター役物６４は、可動する一対の翼片部６４Ａを有している。この翼片部６４Ａの可動によりワープ入球口５８の開口面積が変化する。
【００６２】
遊技領域２８の左下方側には、主制御基板１０２からの制御信号に基づいて識別図柄（特別図柄の識別図柄及び普通図柄の識別図柄を意味する）を表示制御する７セグ表示基板（識別図柄表示装置）６８が配置されている。この７セグ表示基板６８は、特別図柄の識別図柄を表示する７セグメント表示器７０と、４個の普通図柄保留表示ＬＥＤ７２と、４個の特別図柄保留表示ＬＥＤ７４と、普通図柄の識別図柄を表示する２個の普通図柄表示ＬＥＤ７６と、を有している。
【００６３】
ここで、確変大当りした場合では、７セグメント表示器７０には、予め定められた識別図柄（例えば、奇数の数字からなる確変大当り図柄）が停止表示される。また、通常大当りした場合では、７セグメント表示器７０には、予め定められた別の識別図柄（例えば、偶数の数字からなる通常大当り図柄）が停止表示される。
【００６４】
演出図柄表示装置６２の左側には、普通図柄作動ゲート７８が配置されている。この普通図柄作動ゲート７８の内部には、ゲートスイッチ１２４（図３参照）が配設されている。これにより、遊技球が普通図柄作動ゲート７８を通過すると、ゲートスイッチ１２４が作動して、７セグ表示基板６８の普通図柄表示ＬＥＤ７６が変動表示される。
【００６５】
各普通図柄保留表示ＬＥＤ７２及び各特別図柄保留表示ＬＥＤ７４は、４個の丸形の赤色ＬＥＤで構成されており、７セグメント表示器７０の左右両側に近接して配置されている。これは、普通図柄作動ゲート７８を通過した遊技球の数を４個まで普通図柄の保留とし、通過ごとに順次点灯しシフト表示するものである。また、始動口５６Ｂに入球した遊技球の数も４個まで特別図柄の保留とし、入球ごとに順次点灯しシフト表示するものである。７セグメント表示器７０の変動表示が開始する度に、未始動回数が消化され、１個の特別図柄保留表示ＬＥＤ７４は消灯される。また、普通図柄も普通図柄表示ＬＥＤ７６の変動表示が開始するたびに、未始動回数が消化され、１個の普通図柄保留表示ＬＥＤ７２が消灯される。そして、７セグメント表示器７０に予め定められた大当り図柄が停止表示されると大当りが発生し、大入賞口８６が開放状態となる。また、２個の普通図柄表示ＬＥＤ７６が予め定められた表示態様（当り図柄）で停止表示されると、普通図柄当りが発生し、始動口５６Ｂが開放状態となる。なお、７セグメント表示器７０にて表示される特別図柄の識別図柄と、演出図柄表示装置６２にて表示される特別図柄の演出図柄とは、同一の遊技結果（抽選結果）を示すものである。
【００６６】
始動口５６Ｂは、演出図柄表示装置６２の下方に離れて配置されているものであり、いわゆるチューリップ式で一対の翼片部材５６Ａが開閉するように形成されている。その内部には、遊技球の通過を検知する始動口スイッチ１２０（図３参照）と、翼片部材５６Ａを作動させるための始動口ソレノイド１３０（図３参照）と、がそれぞれ備えられている。この一対の翼片部材５６Ａが左右に開くと始動口５６Ｂの開放面積が大きくなって遊技球の入球可能性が大きくなる開放状態となり、一対の翼片部材５６Ａが閉じその離間距離が小さくなると始動口５６Ｂの開放面積が小さくなって遊技球の入球の可能性が小さくなる通常状態となる。
【００６７】
変動入賞装置８０は、始動口５６Ｂの下方に配置されており、大入賞装置８４を備えている。ここで、大入賞装置８４は、略中央に配置されており、帯状に開口された大入賞口８６と、この大入賞口８６を開放又は閉鎖する開閉板８８と、この開閉板８８を開閉するための大入賞口ソレノイド１３２（図３参照）と、入賞球を検知するカウントスイッチ１２６（図３参照）と、を備えている。
【００６８】
センター役物６４の左側下方部には、風車６３が配置されている。さらに、遊技領域の左側下方部及び右側下方部には、一対のサイドランプ９０がそれぞれ配置されている。
【００６９】
遊技盤２６の下方にはアウト口９２が設けられており、このアウト口９２の下部にはバック球防止部材９４が設けられている。このバック球防止部材９４は、遊技領域２８に到達せず戻ってきた遊技球が再び発射位置に戻ることを防止している。また、内レール５２の先端部には、ファール球防止部材９６が取り付けられている。
【００７０】
次に、パチンコ機１０を構成する電子制御装置について説明する。
【００７１】
図３及び図４に示すように、電子制御装置は、主制御基板１０２と、払出制御基板１０４と、サブ制御基板１０６と、発射制御基板１０８と、を備えている。
【００７２】
主制御基板１０２は、ＣＰＵ１０２Ａと、ＲＯＭ１０２Ｂと、を備えている。主制御基板１０２のＣＰＵ１０２Ａは、ＲＯＭ１０２Ｂに記憶されたデータに基づいて、始動口ソレノイド１３０、大入賞口ソレノイド１３２、識別図柄表示装置１３４及びサブ制御基板１０６をそれぞれ制御する。また、主制御基板１０２のＣＰＵ１０２Ａは、遊技全体を司り主として当否判定などの遊技状態を判断するものである。
【００７３】
特に、ＣＰＵ１０２Ａは、始動口５６Ｂへの遊技球の入球を契機として、大当り抽選処理（特別遊技抽選処理）を実行し、任意の乱数（特別図柄当否判定乱数）を用いて当否を判定する機能を備えている。また、特別図柄の当否判定の実行に伴って、ＣＰＵ１０２Ａは、特別図柄（識別図柄）の変動パターン（変動時間）を決定する機能も備えている。
【００７４】
この識別図柄の変動パターンは、演出図柄表示装置６２に表示される各演出図柄の演出パターン（遊技演出）に対応するもので、ＣＰＵ１０２Ａが行う「識別図柄の変動パターンの決定」は、「演出図柄の演出パターン（遊技演出）の決定」に相当する。そして、特別図柄（識別図柄）の変動パターン（演出図柄の演出パターン）が決定されると、７セグメント表示器７０で特別図柄（識別図柄）の変動表示が開始されるとともに、演出図柄表示装置６２で演出図柄の変動表示が開始され、決定された変動パターンにより特定される変動時間が経過すると、特別図柄および演出図柄が停止表示され、その停止表示された演出図柄の図柄組み合わせ態様により、特別図柄の当否判定結果（大当り抽選結果）が遊技者に報知される。なお、演出図柄表示装置６２は、遊技盤２６の表面（盤面）略中央に、遊技者の視野に入り易い状態で配置される。一方、７セグメント表示器７０は、遊技盤２６の表面（盤面）の端部（本実施形態では盤面左側端部）に、遊技者の視野に入り難い状態で配置される。このことから、遊技者は演出図柄表示装置６２の表示内容に注目して遊技を行うのが一般的である。
【００７５】
そして、ＣＰＵ１０２Ａは、上述した演出図柄の変動表示及び停止表示の制御を行うサブ制御基板１０６、及び遊技盤面に設けられた各種入賞口に遊技球が入球することで発生する賞球の払い出し制御を行う払出制御基板１０４を直接的に制御する。また、主制御基板１０２のＣＰＵ１０２Ａは、演出表示基板１１０、アンプ基板１１２、装飾駆動基板１１４及び演出ボタン基板１１６をサブ制御基板１０６を介して間接的に制御する。
【００７６】
主制御基板１０２のＲＯＭ１０２Ｂには、ＣＰＵ１０２Ａにより実行される遊技全体の制御を実現するためのプログラムが記憶されている。
【００７７】
主制御基板１０２は、中継端子板１１８を介して、始動口スイッチ１２０と、大入賞口スイッチ１２２と、ゲートスイッチ１２４と、カウントスイッチ１２６と、にそれぞれ電気的に接続されている。
【００７８】
主制御基板１０２は、中継端子板１２８を介して、始動口ソレノイド１３０と、大入賞口ソレノイド１３２と、識別図柄表示装置１３４と、にそれぞれ電気的に接続されている。なお、７セグ表示基板６８は、識別図柄表示装置１３４の一実施形態である。
【００７９】
払出制御基板１０４は、中継端子板１３６を介して、ガラス枠スイッチ１３８と、外部タンクスイッチ１４０と、タンクスイッチ１４２と、にそれぞれ電気的に接続されている。また、払出制御基板１０４は、中継端子板１４４を介して、エラーＬＥＤ１４６に電気的に接続されている。また、払出制御基板１０４は、下皿満タンスイッチ１４８に電気的に接続されている。また、払出制御基板１０４は、中継端子板１５０を介して、球貸表示基板１５２と、球貸装置（ＣＲユニット）１５４と、にそれぞれ電気的に接続されている。
【００８０】
なお、球貸表示基板１５２には、球貸スイッチ１５６と、返却スイッチ１５８と、がそれぞれ電気的に接続されている。また、払出制御基板１０４は、中継端子板１６０を介して、払出モータ１６２を備えた払出装置１６１と払出スイッチ１６４とにそれぞれ電気的に接続されている。さらに、払出制御基板１０４は、主制御基板１０２と発射制御基板１０８とにそれぞれ電気的に接続されている。
【００８１】
図３及び図４に示すように、サブ制御基板１０６は、演出表示基板１１０と、アンプ基板１１２と、装飾駆動基板１１４と、演出ボタン基板１１６と、にそれぞれ電気的に接続されている。
【００８２】
サブ制御基板１０６は、主制御基板１０２からの制御信号に基づいて遊技の演出の制御を司るものである。また、サブ制御基板１０６は、ＣＰＵ１０６Ａと、ＲＯＭ１０６Ｂと、を備えている。
【００８３】
サブ制御基板１０６のＣＰＵ１０６Ａは、主制御基板１０２からの制御信号を受けて演出表示基板１１０、アンプ基板１１２、装飾駆動基板１１４及び演出ボタン基板１１６などの各基板を制御する。
【００８４】
ＲＯＭ１０６Ｂには、各基板の制御に必要なデータ（特に遊技の装飾に関する情報）が記憶されている。
【００８５】
図４に示すように、演出表示基板１１０には、演出表示装置１６６（６２）と、演出表示ＲＯＭ１６８と、がそれぞれ電気的に接続されている。この演出表示ＲＯＭ１６８には、演出図柄表示装置６２に変動表示及び停止表示される特別図柄の演出図柄のデータ（画像データ）が記憶されている。特に、本実施形態では、演出図柄表示装置６２で特別図柄の演出図柄を変動表示及び停止表示させるために、演出表示基板１１０により発光制御されるドットマトリックス表示素子２００の発光パターンがデータとして記憶されている。なお、演出図柄表示装置６２は、演出表示装置１６６の一実施形態である。
【００８６】
アンプ基板１１２には、所定の効果音を出力する各種スピーカ１７０（４８）が電気的に接続されている。なお、サブスピーカ４８は、各種スピーカ１７０の一実施形態である。
【００８７】
装飾駆動基板１１４には、各種ＬＥＤ・ランプ１７２（６６）が電気的に接続されている。また、装飾駆動基板１１４は、サブ制御基板１０６からの制御信号を受けて各種ＬＥＤ・ランプ１７２（６６）の発光制御を実行し、遊技の装飾に関する制御を行うものである。また、演出ボタン基板１１６には、操作スイッチ１７４（４０）が電気的に接続されている。なお、ランプ類６６は、各種ＬＥＤ・ランプ１７２の一実施形態である。また、演出ボタン４０は、操作スイッチ１７４の一実施形態である。
【００８８】
次に、本発明の第１実施形態のパチンコ機１０の作用及び効果について説明する。なお、以下の説明では、パチンコ機１０の既存の構成及び制御工程の説明は、従来のパチンコ機と同様であるため省略し、本発明が実施形態に具現化された構成の作用及び効果について詳細に説明する。
【００８９】
また、以下の作用及び構成では、表示面６２Ａの左演出図柄表示領域Ｓ１、中央演出図柄表示領域Ｓ２、右演出図柄表示領域Ｓ３のうち、先ず、左演出図柄表示領域Ｓ１のドットマトリックス表示素子２００の発光により表現される特別図柄の演出図柄が確定停止表示され、次に、右演出図柄表示領域Ｓ３のドットマトリックス表示素子２００の発光により表現される特別図柄の演出図柄が確定停止表示され、最後に、中央演出図柄表示領域Ｓ２のドットマトリックス表示素子２００の発光により表現される特別図柄の演出図柄が確定停止表示される態様を例に挙げて説明する。しかしながら、特別図柄の演出図柄が確定停止表示される順番は、これに限られるものではなく、例えば、先ず、左演出図柄表示領域Ｓ１のドットマトリックス表示素子２００の発光により表現される特別図柄の演出図柄が確定停止表示され、次に、中央演出図柄表示領域Ｓ２のドットマトリックス表示素子２００の発光により表現される特別図柄の演出図柄が確定停止表示され、最後に、右演出図柄表示領域Ｓ３のドットマトリックス表示素子２００の発光により表現される特別図柄の演出図柄が確定停止表示される態様など、他の態様でもよい。
【００９０】
図１０に示すように、演出図柄表示装置６２を構成する表示部１９８の表示面６２Ａには、各演出図柄表示領域Ｓ１、Ｓ２、Ｓ３に位置する特別図柄の演出図柄が上側から下側に向かってスクロール表示される。この演出図柄は、演出表示基板１１０により発光制御を受けたドットマトリックス表示素子２００の発光により実現される。このため、表示面６２Ａには、遊技者から見て左右方向にわたって３つの演出図柄表示領域Ｓ１、Ｓ２、Ｓ３が形成されているため、３種類の特別図柄の演出図柄が表示演出されることになる。
【００９１】
ここで、例えば、図１１に示すように、左演出図柄表示領域Ｓ１及び右演出図柄表示領域Ｓ３に位置する特別図柄の演出図柄がすでに確定停止表示された状態で、中央演出図柄表示領域Ｓ２に位置する特別図柄の演出図柄が確定停止表示されるときに焦点をあてて説明する。
【００９２】
図１２及び図１３に示すように、中央演出図柄表示領域Ｓ２に位置する特別図柄の演出図柄が表示面６２Ａの上側から表示面６２Ａの中央に向かってスクール表示されるときには、所定のタイミングで、中央演出図柄表示領域Ｓ２上に配置された上側の導光部材２１０Ｂの底面側に位置するドットマトリックス表示素子２００が発光する。
【００９３】
このとき、図７、図８及び図９に示すように、特別図柄の演出図柄の一部を表現するドットマトリックス表示素子２００から出射された光は、導光部材２１０Ｂの底面から導光部材２１０Ｂの内部に所定の屈折角度で入射する。導光部材２１０Ｂの内部に入射した光は、導光部材２１０Ｂの内部で拡散しながら進み、やがて周囲の溝部２１８、２２６の溝壁面２１８Ｂ、２２６Ｂなどから出射して遊技者側に進む。導光部材２１０Ｂの表面には、上述した通り、傾斜した複数の溝部２１８、２２６が形成されているため、光がこれらの溝壁面２１８Ｂ、２２６Ｂからあらゆる方向に放射される。このため、特別図柄の演出図柄の一部の表示態様が大きく異なるものになるため、遊技者は、特別図柄の演出図柄と認識しながらも、特別図柄の演出図柄の特別な演出であると視認する。特に、特別図柄の演出図柄の一部の表示態様を導光部材２１０Ｂを通して特殊な表示態様にすることにより、今までのパチンコ機にはない斬新で面白い演出と認識することになるため、遊技を新鮮なものにすることができるとともに、遊技性を高めることができる。
【００９４】
ここで、上側の導光部材２１０Ｂの一側面２２４は、上述した通り、表示面６２Ａに対して傾斜しているため、導光部材２１０Ｂの傾斜した一側面２２４が、遊技最中の遊技者から視認可能になる。これにより、導光部材２１０Ｂの傾斜した一側面２２４の溝部２２６（溝壁面２２６Ｂ）から出射した光も遊技者に視認されることになり、特別図柄の演出図柄の表示態様を斬新かつ複雑なものにしている。このように、上側の導光部材２１０Ｂの正面側の一側面２２２だけではなく、傾斜した一側面２２４から出射した光も、相乗効果的に、特別図柄の演出図柄の表示態様を構成して、斬新かつ複雑な演出に寄与することになる。
【００９５】
特に、上側の導光部材２１０Ｂの正面側の一側面２２２に形成された溝部２１８が上下方向に延びており、溝部２１８を構成する溝壁面２１８Ｂが左右方向（図１０中矢印Ｙ方向）に向って開くように傾斜しているため、この溝部２１８の溝壁面２１８Ｂから外部に出射した光は、左右方向に大きく拡散する。これにより、特別図柄の演出図柄の一部を構成する光が導光部材２１０Ｂを透過すると、特別図柄の演出図柄の一部が左右方向に大きく膨張する。また、上側の導光部材２１０Ｂの傾斜している一側面２２４に形成された溝部２２６の溝壁面２２６Ｂも、左右方向に開いた状態になっているため、上側の導光部材２１０Ｂの傾斜している一側面２２４から外部に出射した光も左右方向に大きく拡散する。これにより、特別図柄の演出図柄の一部を構成する光が導光部材２１０Ｂを透過すると、特別図柄の演出図柄の一部が左右方向に大きく膨張するような表現を実現できる。上側の導光部材２１０Ｂの２つの一側面２２２、２２４から出射された光の相乗効果により、特別図柄の演出図柄の一部を特殊な演出に変えることができる。
【００９６】
ここで、上側の導光部材２１０Ｂを透過する特別図柄の演出図柄の一部の表示面積（導光部材２１０Ｂの底面側に位置するドットマトリックス表示素子２００のうち、発光するマトリックス表示素子２００の個数）によって、特別図柄の演出図柄の左右方向への膨張度も異なるものになる。詳細には、上側の導光部材２１０Ｂを透過する特別図柄の演出図柄の一部の表示面積（導光部材２１０Ｂの底面側に位置するドットマトリックス表示素子２００のうち、発光するマトリックス表示素子２００の個数）が大きく（多く）なれば、特別図柄の演出図柄の左右方向への膨張度が大きくなり、また、上側の導光部材２１０Ｂを透過する特別図柄の演出図柄の一部の表示面積（導光部材２１０Ｂの底面側に位置するドットマトリックス表示素子２００のうち、発光するマトリックス表示素子２００の個数）が小さく（少なく）なれば、特別図柄の演出図柄の左右方向への膨張度が小さくなる。
【００９７】
次に、図１４に示すように、中央演出図柄表示領域Ｓ２の中央に確定停止表示されていた特別図柄の演出図柄が表示面６２Ａの中央から下側に向かってスクロール表示されていき、やがて表示面６２Ａから消滅するときにも、同様のことがいえる。
【００９８】
すなわち、図１５及び図１６に示すように、中央演出図柄表示領域Ｓ２の中央に確定停止表示されていた特別図柄の演出図柄が表示面６２Ａの中央から下側に向かってスクロール表示されていくと、特別図柄の演出図柄の全体が時差的に下側の導光部材２１４Ｂの底面側を通過する。このような場合でも、特別図柄の演出図柄は、中央側から下側の方向に直線上に移動していくかのように見えるが、導光部材２１４Ｂの底面側を時差的に通過する特別図柄の演出図柄の一部の構成（例えば、演出図柄の左右方向の幅寸法や演出図柄の形状など）の違いにより、導光部材２１４Ｂを通過した光の溝部２３０、２３８の溝壁面２３０Ｂ、２３８Ｂの個数（溝部２３０、２３８の表面積の総和）が変化する。この結果、導光部材２１４Ｂから出射した光の拡散度（発散度）が大きくなるため、導光部材２１４Ｂを介して表示した特別図柄の演出図柄の表示態様が大きく異なり、特別図柄の演出図柄の演出を一層斬新で複雑な表示態様にすることができる。なお、下側の導光部材２１４Ｂの底面側を時差的に通過する特別図柄の演出図柄は、あくまでも遊技者から見た現象面を説明しており、実際には、下側の導光部材２１４Ｂの底面側に配置されたドットマトリックス表示素子２００が所定の発光パターンによって時差的に発光しているに過ぎない。
【００９９】
特に、下側の導光部材２１４Ｂの正面側の一側面２３４の溝部２３０と表示面６２Ａに直交する一側面２３６の溝部２３８とから光が同時に出射されるため、これらが遊技中の遊技者に視認されることになる。このように、上側の導光部材２１０Ｂの正面側の一側面２３４だけではなく、垂直の一側面２３６から出射した光も、相乗効果的に、特別図柄の演出図柄の表示態様を構成して、斬新かつ複雑な演出に寄与することになる。
【０１００】
また、下側の導光部材２１４Ｂの正面側の一側面２３４に形成された溝部２３８が上下方向に延びており、溝部２３８を構成する溝壁面２３８Ｂが左右方向（図１０中矢印Ｙ方向）に向って開くように傾斜しているため、この溝部２３８の溝壁面２３８Ｂから外部に出射した光は、左右方向に大きく拡散する。これにより、特別図柄の演出図柄の一部を構成する光が導光部材２１４Ｂを透過すると、特別図柄の演出図柄の一部が左右方向に大きく膨張する。また、下側の導光部材２１４Ｂの表示面６２Ａに対して直交する一側面２３６に形成された溝部２３８の溝壁面２３８Ｂも、左右方向に開いた状態になっているため、下側の導光部材２１４Ｂの一側面２３６から外部に出射した光も左右方向に大きく拡散する。これにより、特別図柄の演出図柄の一部を構成する光が導光部材２１４Ｂを透過すると、特別図柄の演出図柄の一部が左右方向に大きく膨張するような表現を実現できる。下側の導光部材２１４Ｂの２つの一側面２３４、２３６から出射された光の相乗効果により、特別図柄の演出図柄の一部を特殊な演出に変えることができる。
【０１０１】
ここで、下側の導光部材２１４Ｂを透過する特別図柄の演出図柄の一部の表示面積（導光部材２１４Ｂの底面側に位置するドットマトリックス表示素子２００のうち、発光するマトリックス表示素子２００の個数）によって、特別図柄の演出図柄の左右方向への膨張度も異なるものになる。詳細には、下側の導光部材２１４Ｂを透過する特別図柄の演出図柄の一部の表示面積（導光部材２１４Ｂの底面側に位置するドットマトリックス表示素子２００のうち、発光するマトリックス表示素子２００の個数）が大きく（多く）なれば、特別図柄の演出図柄の左右方向への膨張度が大きくなり、また、下側の導光部材２１４Ｂを透過する特別図柄の演出図柄の一部の表示面積（導光部材２１４Ｂの底面側に位置するドットマトリックス表示素子２００のうち、発光するマトリックス表示素子２００の個数）が小さく（少なく）なれば、特別図柄の演出図柄の左右方向への膨張度が小さくなる。
【０１０２】
以上のように、上下方向にスクロール表示された特別図柄の演出図柄が上側の導光部材２１０Ｂの底面側と下側の導光部材２１４Ｂの底面側を通過するかのように、複数のドットマトリックス表示素子２００が所定の発光パターンによって発光すると、各導光部材２１０Ｂ、２４Ｂを透過して構成される特別図柄の演出図柄の一部の表示演出は、スクロール表示の方向に対して略直交する方向（上下方向のスクロール表示に対しては左右方向）に沿って時差的に変化することになる。具体的には、各導光部材２１０Ｂ、２４Ｂを通過する特別図柄の演出図柄の一部の表示面積の大小によって、各導光部材２１０Ｂ、２４Ｂを介して視認できる特別図柄の演出図柄の一部の表示態様が、スクロール表示の方向に対して略直交する方向（上下方向のスクロール表示に対しては左右方向）に沿って大きく膨張したり、あるいは縮んだりする。これにより、遊技者には特別図柄の演出図柄の演出が斬新な演出に写ることになるため、遊技性を一層高めるための特別図柄の演出図柄の演出を提供することができる。
【０１０３】
さらに、左右方向に隣接する各導光部材２１０Ａ、２１０Ｂ、２１０Ｃ、２１４Ａ、２１４Ｂ、２１４Ｃの間には、黒色の仕切り部材２１２、２１６が設けられており、この仕切り部材２１２、２１６には、ドットマトリックス表示素子２００の光が透過しない。このため、仕切り部材２１２、２１６により各演出図柄表示領域Ｓ１、Ｓ２、Ｓ３ごとに明確に区画する（縁切りする）ことができ、各導光部材２１０Ａ、２１０Ｂ、２１０Ｃ、２１４Ａ、２１４Ｂ、２１４Ｃと各演出図柄表示領域Ｓ１、Ｓ２、Ｓ３との対応関係を明確にさせることができる。これにより、各演出図柄表示領域Ｓ１、Ｓ２、Ｓ３ごとの導光部材２１０Ａ、２１０Ｂ、２１０Ｃ、２１４Ａ、２１４Ｂ、２１４Ｃによる、特別図柄の演出図柄の演出態様を明確に区画することができるため、各演出図柄表示領域Ｓ１、Ｓ２、Ｓ３ごとの特別図柄の演出図柄の演出を際立たせることができ、遊技性を一層高めることができる。
【０１０４】
次に、本発明の第１実施形態に係るパチンコ機の変形例について説明する。
なお、以下の作用及び構成では、表示部１９８、上表示部２４２及び下表示部２４４（図１７参照）の中央演出図柄表示領域Ｓ２を変動表示する特別図柄の演出図柄の演出パターンを例に挙げて説明する。
【０１０５】
本変形例は、演出図柄表示装置６２の内部に、所定のスペースが存在すれば、このスペースを利用して表示部１９８を延長する構成である（表示部１９８を大型化する構成である）。
【０１０６】
具体的には、図１７に示すように、表示部１９８の上方にスペースがある場合には、表示部１９８の上方に上表示部２４２を配置する。なお、上表示部２４２は、表示部１９８と一体的に構成されていてもよく、また、表示部１９８とは別個独立して構成されていてもよい。換言すれば、上表示部２４２と表示部１９８とが一体的に構成されていれば、上側の導光部材２１０Ａ、２１０Ｂ、２１０Ｃを表示部１９８の中央寄りに配置させることにより容易に設計することができる。また、表示部１９８の下方にスペースがある場合には、表示部１９８の下方に下表示部２４４を配置する。下表示部２４４は、表示部１９８と一体的に構成されていてもよく、また、表示部１９８とは別個独立して構成されていてもよい。換言すれば、下表示部２４４と表示部１９８とが一体的に構成されていれば、下側の導光部材２１４Ａ、２１４Ｂ、２１４Ｃを表示部１９８の中央寄りに配置させることにより容易に設計することができる。このように、特別図柄の演出図柄が表示部１９８の上下方向にスクロール表示される構成では、表示部１９８の上側のスペースに上表示部２４２を設け、表示部１９８の下側のスペースに下表示部２４４を設けることが好ましい。なお、この場合、上表示部２４２及び下表示部２４４は、露出しており、遊技者に視認可能となるように設定してもよいし、また、装飾役物などの飾りで覆われていて遊技者から視認不可能となるように構成してもよい。
【０１０７】
また、上表示部２４２及び下表示部２４４の構成は、表示部１９８の構成と同様であり、図６に示すような、発光ダイオードからなる多数のドットマトリックス表示素子２００を縦横に配列した基板２０２と、ドットマトリックス表示素子２００にそれぞれ対応する多数の桝目２０４が区画形成された格子状の枠体２０６と、枠体２０６の前面側に貼り付けられた光拡散シート２０８と、で構成されている。
【０１０８】
このように、上表示部２４４を設けることにより、特別図柄の演出図柄の全体が時差的に上側の導光部材２１０Ｂの底面側を通過するかのようにスクロール表示する。詳細には、図１８及び図１９に示すように、先ず、上表示部２４２のドットマトリックス表示素子２００が演出表示基板１１０により発光制御され、上表示部２４２の中央演出図柄表示領域Ｓ２に特別図柄の演出図柄が表示される。なお、上表示部２４２が露出していないため、上表示部２４２で表示される特別図柄の演出図柄は、遊技している遊技者にとって視認不可能になっている。また、上表示部２４２が露出している構成では、上表示部２４２で表示される特別図柄の演出図柄は、遊技している遊技者にとって視認可能になる。
【０１０９】
次に、図２０に示すように、上表示部２４２のドットマトリックス表示素子２００が演出表示基板１１０により発光制御され、上表示部２４２の中央演出図柄表示領域Ｓ２に表示された特別図柄の演出図柄が下方に移動する。このとき、上表示部２４２の中央演出図柄表示領域Ｓ２を下方向に移動した特別図柄の演出図柄の下部の一部の光が上側の導光部材２１０Ｂを透過する。これにより、特別図柄の演出図柄の下部の一部の光が導光部材２１０Ｂの複数の溝部２１８、２２６の溝壁面２１８Ｂ、２２６Ｂから放射され、あたかも膨張したかのように演出表示される。
【０１１０】
次に、図２１に示すように、上表示部２４２及び表示部１９８のドットマトリックス表示素子２００が演出表示基板１１０により発光制御され、図２０に示した状態の特別図柄の演出図柄がさらに下方に移動する。このとき、上表示部２４２の中央演出図柄表示領域Ｓ２を下方向に移動した特別図柄の演出図柄の上部の一部の光が上側の導光部材２１０Ｂを透過する。これにより、特別図柄の演出図柄の上部の一部の光が導光部材２１０Ｂの複数の溝部２１８、２２６の溝壁面２１８Ｂ、２２６Ｂから放射され、あたかも膨張したかのように演出表示される。このように、図１９から図２１にわたる演出によって、特別図柄の演出図柄が上表示部２４２から出て、表示部１９８の内部に進入していくかのように表示される。
【０１１１】
次に、上表示部２４２及び表示部１９８のドットマトリックス表示素子２００が演出表示基板１１０により発光制御され、図２１に示した状態の特別図柄の演出図柄がさらに下方に移動する。そして、図２２に示すように、特別図柄の演出図柄は、表示部１９８の中央演出図柄表示領域Ｓ２の中央の位置で停止して表示される。なお、図２２に示す状態では、特別図柄の演出図柄を演出する光は、上側の導光部材２１０Ｂ及び下側の導光部材２１４Ｂを透過しない。また、表示部１９８は露出しているため、表示部１９８で表示される特別図柄の演出図柄は、遊技している遊技者にとって視認可能になっている。
【０１１２】
次に、図２３に示すように、表示部１９８及び下表示部２４４のドットマトリックス表示素子２００が演出表示基板１１０により発光制御され、図２２に示した状態の特別図柄の演出図柄がさらに下方に移動する。このとき、表示部１９８の中央演出図柄表示領域Ｓ２を下方向に移動した特別図柄の演出図柄の下部の一部の光が下側の導光部材２１４Ｂを透過する。これにより、特別図柄の演出図柄の下部の一部の光が導光部材２１４Ｂの複数の溝部２３０、２３８の溝壁面２３０Ｂ、２３８Ｂから放射され、あたかも膨張したかのように演出表示される。なお、図２３に示す状態では、特別図柄の演出図柄の下部の一部が下表示部２４４の中央演出図柄表示領域Ｓ２で演出表示されている。
【０１１３】
次に、図２４に示すように、表示部１９８及び下表示部２４４のドットマトリックス表示素子２００が演出表示基板１１０により発光制御され、図２３に示した状態の特別図柄の演出図柄がさらに下方に移動する。このとき、表示部１９８の中央演出図柄表示領域Ｓ２を下方向に移動した特別図柄の演出図柄の上部の一部の光が下側の導光部材２１４Ｂを透過する。これにより、特別図柄の演出図柄の上部の一部の光が導光部材２１４Ｂの複数の溝部２３０、２３８の溝壁面２３０Ｂ、２３８Ｂから放射され、あたかも膨張したかのように演出表示される。なお、図２４に示す状態では、特別図柄の演出図柄の上部の一部が下表示部２４４の中央演出図柄表示領域Ｓ２で演出表示されている。このように、図２２から図２４にわたる演出によって、特別図柄の演出図柄が表示部１９８から出て、下表示部２４４の内部に進入していくかのように表示される。
【０１１４】
次に、表示部１９８及び下表示部２４４のドットマトリックス表示素子２００が演出表示基板１１０により発光制御され、図２４に示した状態の特別図柄の演出図柄がさらに下方に移動する。そして、図２５に示すように、特別図柄の演出図柄は、下表示部２４４の中央演出図柄表示領域Ｓ２の中央の位置で停止して表示される。なお、図２５に示す状態では、特別図柄の演出図柄を演出する光は、上側の導光部材２１０Ｂ及び下側の導光部材２１４Ｂを透過しない。なお、下表示部２４４が露出していないため、下表示部２４４で表示される特別図柄の演出図柄は、遊技している遊技者にとって視認不可能になっている。また、下表示部２４４が露出している構成では、下表示部２４４で表示される特別図柄の演出図柄は、遊技している遊技者にとって視認可能になる。
【０１１５】
以上説明したように、遊技者には、特別図柄の演出図柄が、表示部１９８の上側から下側の方向に向って直線上に移動していくかのように見え、上側の導光部材２１０Ｂと下側の導光部材２１４Ｂの底面側を特別図柄の演出図柄が時差的に通過していくことになる。このとき、導光部材２１０Ｂ、２１４Ｂの底面側を時差的に通過する特別図柄の演出図柄の一部の構成（例えば、演出図柄の左右方向の幅寸法や演出図柄の形状など）の違いにより、導光部材２１０Ｂ、２１４Ｂを通過した光の溝部２１８、２２６、２３０、２３８の溝壁面２１８Ｂ、２２６Ｂ、２３０Ｂ、２３８Ｂの個数（溝部２１８Ｂ、２２６Ｂ、２３０Ｂ、２３８Ｂの表面積の総和）が変化する。この結果、導光部材２１０Ｂ、２１４Ｂから出射した光の拡散度（発散度）が大きくなるため、導光部材２１０Ｂ、２１４Ｂを介して表示した特別図柄の演出図柄の表示態様が大きく異なり、特別図柄の演出図柄の演出を一層斬新で複雑な表示態様にすることができる。
【０１１６】
特に、上表示部２４２から表示部１９８を経て下表示部２４４にかけて、特別図柄の演出図柄が上下方向にスクロール表示される場合、特別図柄の演出図柄が各導光部材２１０Ｂ、２１４Ｂの底面側を通過するときに特別図柄の演出図柄の一部が各導光部材２１０Ｂ、２１４Ｂを透過すると（換言すれば、各導光部材２１０Ｂ、２１４Ｂの底面側に配置されたドットマトリックス表示素子２００が発光すると）、特別図柄の演出図柄の一部が大きく膨張しているかのように視認できる。なぜなら、各導光部材２１０Ｂ、２１４Ｂの各一側面２２２、２２４、２３４、２３６に形成された各溝部２１８、２２６、２３０、２３８の各溝壁面２１８Ｂ、２２６Ｂ、２３０Ｂ、２３８Ｂが左右方向（図１７中矢印Ｙ方向）に向って傾斜した傾斜面を構成しているため、各導光部材２１０Ｂ、２１４Ｂの各一側面２２２、２２４、２３４、２３６から外部に放出される光は、左右方向（図１７中矢印Ｙ方向）に拡散（散乱）するからである。このような状況で、特別図柄の演出図柄が上下方向（図１７中矢印Ｘ方向）にスクロール表示された場合、特別図柄の演出図柄が各導光部材２１０Ｂ、２１４Ｂの底面側を通過するときに特別図柄の演出図柄の一部が左右方向（図１７中矢印Ｙ方向）に膨張するため、特別図柄の演出図柄の表示態様に大きな変化を持たせることができる。この結果、特別図柄の演出図柄の演出に意外性と斬新性が加わり、遊技に対する装飾効果が向上して、遊技興趣を高めることができる。
【０１１７】
次に、本発明の第２実施形態に係るパチンコ機について説明する。
なお、第１実施形態に係るパチンコ機の構成と重複する構成については、第１実施形態の構成と同じ符号を付し、その説明を適宜省略する。
【０１１８】
図２６、図２７、図２８に示すように、第２実施形態に係るパチンコ機は、表示面６２Ａに形成される各演出図柄表示領域Ｔ１、Ｔ２、Ｔ３が、上下方向に沿って順番に３つ並べた構成である。このため、表示面６２Ａに形成された各演出図柄表示領域Ｔ１、Ｔ２、Ｔ３は、上演出図柄表示領域Ｔ１と、中央演出図柄表示領域Ｔ２と、下演出図柄表示領域Ｔ３と、で構成されている。また、各演出図柄表示領域Ｔ１、Ｔ２、Ｔ３には、それぞれ対応する複数のドットマトリックス表示素子２００が配置されている。このため、各演出図柄表示領域Ｔ１、Ｔ２、Ｔ３に表示される特別図柄の演出図柄は、左側から右側に向かって移動するかのようにスクロール表示される。なお、左右方向のスクロール表示は、演出表示基板１１０による複数のドットマトリックス表示素子２００の発光制御によって実現される。
【０１１９】
ここで、表示部１９８の表示面６２Ａを構成する光拡散シート２０８の表面左側の部位には、導光部材２５０Ａ、２５０Ｂ、２５０Ｃが光拡散シート２０８の上下方向にわたって３個並んで配置されている。各導光部材２５０Ａ、２５０Ｂ、２５０Ｃは、各特別図柄の演出図柄が表示される各演出図柄表示領域Ｔ１、Ｔ２、Ｔ３に対応するように配置されている。そして、各導光部材２５０Ａ、２５０Ｂ、２５０Ｃは、それぞれ対応する特別図柄の演出図柄（特に、表示面６２Ａの左側から右側（中央側）にスクロール表示されていく最中の特別図柄の演出図柄）を形成する一部の光を表示面６２Ａ（光拡散シート２０８）の前方側（遊技者側）に導き通す。光拡散シート２０８の上下方向にわたって隣接している各導光部材２５０Ａ、２５０Ｂ、２５０Ｃの間には、黒色の仕切り部材２５２が配置されている。各仕切り部材２５２は、ドットマトリックス表示素子２００の前方側に位置する部位から避けるように（ドットマトリックス表示素子２００が対応しない位置に）配置されており、かつドットマトリックス表示素子２００の光が透過しないようになっている。このため、各仕切り部材２５２からドットマトリックス表示素子２００の光が透過して遊技者に視認されることはない。
【０１２０】
また、表示部１９８の表示面６２Ａを構成する光拡散シート２０８の表面右側の部位には、導光部材２５４Ａ、２５４Ｂ、２５４Ｃが光拡散シート２０８の上下方向にわたって３個並んで配置されている。各導光部材２５４Ａ、２５４Ｂ、２５４Ｃは、各特別図柄の演出図柄が表示される各演出図柄表示領域Ｔ１、Ｔ２、Ｔ３に対応するように配置されている。そして、各導光部材２５４Ａ、２５４Ｂ、２５４Ｃは、それぞれ対応する特別図柄の演出図柄（特に、表示面６２Ａの左側（中央側）から右側にスクロール表示されていく最中の特別図柄の演出図柄）を形成する一部の光を表示面６２Ａ（光拡散シート２０８）の前方側（遊技者側）に導き通す。光拡散シート２０８の上下方向にわたって隣接している各導光部材２５４Ａ、２５４Ｂ、２５４Ｃの間には、黒色の仕切り部材２５６が配置されている。各仕切り部材２５６は、ドットマトリックス表示素子２００の前方側に位置する部位から避けるように（ドットマトリックス表示素子２００が対応しない位置に）配置されており、かつドットマトリックス表示素子２００の光が透過しないようになっている。このため、各仕切り部材２５６からドットマトリックス表示素子２００の光が透過して遊技者に視認されることはない。
【０１２１】
全ての導光部材２５０Ａ、２５０Ｂ、２５０Ｃ、２５４Ａ、２５４Ｂ、２５４Ｃは、表示部１９８の表示面６２Ａの領域の内側に配置されている。このため、全ての導光部材２５０Ａ、２５０Ｂ、２５０Ｃ、２５４Ａ、２５４Ｂ、２５４Ｃが表示部１９８の表示面６２Ａの領域の外側に突出している構成ではないので、表示面６２Ａの領域の外側に、各導光部材２５０Ａ、２５０Ｂ、２５０Ｃ、２５４Ａ、２５４Ｂ、２５４Ｃを設置するスペースを確保する必要がない。このため、表示部１９８及び演出図柄表示装置６２を大型化することがなく、各導光部材２５０Ａ、２５０Ｂ、２５０Ｃ、２５４Ａ、２５４Ｂ、２５４Ｃを設置したことにより、遊技領域２８が実質的に狭くなることを防止できる。
【０１２２】
なお、左側に位置する導光部材２５０Ａ、２５０Ｂ、２５０Ｃ及び右側に位置する導光部材２５４Ａ、２５４Ｂ、２５４Ｃの基本構成は、第１実施形態の表示面６２Ａの下側に位置する導光部材２１４Ａ、２１４Ｂ、２１４Ｃの基本構成とほとんど同じあるため、異なる部分を中心に説明する。
【０１２３】
左側に位置する導光部材２５０Ａ、２５０Ｂ、２５０Ｃのうち、導光部材２５０Ｂを一例に挙げて説明すると、図２７に示すように、導光部材２５０Ｂの表面（底面以外の他の５側面）には、複数の溝部２５８、２６６（拡散部）が連続して形成されており、導光部材２５０Ｂは、全体として波板形状となるように構成されている。このため、導光部材２５０Ｂの表面には、各溝部２５８、２６６を構成する２つの傾斜面２６０、２６８（Ｖ字傾斜面）が形成され、表面積が大きくなる。導光部材２５０Ｂの底面は、溝部が形成されておらず、平面状になっており、表示面６２Ａと面接触可能となっている。なお、導光部材２５０Ｂの底面が表示面６２Ａと接触している構成であると、表示面６２Ａから出射した光が導光部材２５０Ｂに入射し易くなるため、好ましいが、僅かに離間していてもよい。
【０１２４】
図２７に示すように、左側に配置された導光部材２５０Ｂの正面側に位置する一側面２６２に形成された溝部２５８の形成方向（延在方向（溝部２５８が延びる方向））は、遊技している遊技者から見て左右方向（表示面６２Ａの面方向）となるように設定されている。このため、導光部材２５０Ｂの正面側の一側面２６２には、左右方向に延びた複数の溝部２５８が上下方向にわたって連続して形成されている。また、導光部材２５０Ｂの正面側の一側面２６２に形成された各溝部２５８は、１つの溝底部２５８Ａと、２つの傾斜面２６０である溝壁面２５８Ｂと、で構成されている。
【０１２５】
なお、導光部材２５０Ｂの正面側に位置する一側面２６２に形成された「溝部２５８」という表現に替えて、「山部」と表現することは、第１実施形態で説明した導光部材２１０Ｂ、２１４Ｂと同様である。
【０１２６】
また、左側に配置された導光部材２５０Ｂの表示面６２Ａに対して直交する一側面２６４の溝部２６６の形成方向（延在方向（溝部２６６が延びる方向））は、遊技している遊技者から見て奥行き方向（表示面６２Ａに対して直交方向）となるように設定されている。このため、導光部材２５０Ｂの一側面２６４には、奥行き方向に延びた複数の溝部２６６が上下方向にわたって連続して形成されている。また、導光部材２５０Ｂの一側面２６４に形成された各溝部２６６は、１つの溝底部２６６Ａと、２つの傾斜面２６８である溝壁面２６６Ｂと、で構成されている。
【０１２７】
ここで、左側の導光部材２５０Ｂの表示面６２Ａに対して直交する一側面２６４は、遊技している遊技者から視認可能になっている。このため、導光部材２５０Ｂの一側面２６４を表示面６２Ａに対して傾斜させる必要がなく、各演出図柄表示領域Ｔ１、Ｔ２、Ｔ３の面積を狭めてしまうことはない。
【０１２８】
以上のように、左側に配置された導光部材２５０Ｂの表面には、複数の溝部２５８、２６６（山部）が形成されており、溝部２５８、２６６（山部）が形成されていない構成と比較して、導光部材２５０Ｂの表面積が格段に大きくなっている。
【０１２９】
また、図２８に示すように、右側に配置された導光部材２５４Ａ、２５４Ｂ、２５４Ｃの構成は、左側に配置された導光部材２５０Ａ、２５０Ｂ、２５０Ｃの構成と同じである。すなわち、図２８に示すように、右側に配置された導光部材２５４Ｂの正面側に位置する一側面２７０に形成された溝部２７２（拡散部）の形成方向（延在方向（溝部２７２が延びる方向））は、遊技している遊技者から見て左右方向（表示面６２Ａの面方向）となるように設定されている。このため、導光部材２５４Ｂの正面側の一側面２７０には、左右方向に延びた複数の溝部２７２が上下方向にわたって連続して形成されている。また、導光部材２５４Ｂの正面側の一側面２７０に形成された各溝部２７２は、１つの溝底部２７２Ａと、２つの傾斜面２７４である溝壁面２７２Ｂと、で構成されている。
【０１３０】
なお、導光部材２５４Ｂの正面側に位置する一側面２７０に形成された「溝部２７２」という表現に替えて、「山部」と表現することは、第１実施形態で説明した導光部材２１０Ｂ、２１４Ｂと同様である。
【０１３１】
また、右側に配置された導光部材２５４Ｂの表示面６２Ａに対して直交する一側面２７６の溝部２７８（拡散部）の形成方向（延在方向（溝部２７８が延びる方向））は、遊技している遊技者から見て奥行き方向（表示面６２Ａに対して直交方向）となるように設定されている。このため、導光部材２５４Ｂの一側面２７６には、奥行き方向に延びた複数の溝部２７８が上下方向にわたって連続して形成されている。また、導光部材２５４Ｂの一側面２７６に形成された各溝部２７８は、１つの溝底部２７８Ａと、２つの傾斜面２８０である溝壁面２７８Ｂと、で構成されている。
【０１３２】
ここで、右側の導光部材２５４Ｂの表示面６２Ａに対して直交する一側面２７６は、遊技している遊技者から視認可能になっている。このため、導光部材２５４Ｂの一側面２７６を表示面６２Ａに対して傾斜させる必要がなく、各演出図柄表示領域Ｔ１、Ｔ２、Ｔ３の面積を狭めてしまうことはない。
【０１３３】
以上のように、右側に配置された導光部材２５４Ｂの表面には、複数の溝部２７２、２７８（山部）が形成されており、溝部２７２、２７８（山部）が形成されていない構成と比較して、導光部材２５４Ｂの表面積が格段に大きくなっている。
【０１３４】
次に、本発明の第２実施形態に係るパチンコ機の作用及び効果について説明する。以下の作用及び構成では、表示面６２Ａの上演出図柄表示領域Ｔ１、中央演出図柄表示領域Ｔ２、下演出図柄表示領域Ｔ３のうち、先ず、上演出図柄表示領域Ｔ１のドットマトリックス表示素子２００の発光により表現される特別図柄の演出図柄が確定停止表示され、次に、下演出図柄表示領域Ｔ３のドットマトリックス表示素子２００の発光により表現される特別図柄の演出図柄が確定停止表示され、最後に、中央演出図柄表示領域Ｔ２のドットマトリックス表示素子２００の発光により表現される特別図柄の演出図柄が確定停止表示される態様を例に挙げて説明する。しかしながら、特別図柄の演出図柄が確定停止表示される順番は、これに限られるものではなく、例えば、先ず、上演出図柄表示領域Ｔ１のドットマトリックス表示素子２００の発光により表現される特別図柄の演出図柄が確定停止表示され、次に、中央演出図柄表示領域Ｔ２のドットマトリックス表示素子２００の発光により表現される特別図柄の演出図柄が確定停止表示され、最後に、下演出図柄表示領域Ｔ３のドットマトリックス表示素子２００の発光により表現される特別図柄の演出図柄が確定停止表示される態様など、他の態様でもよい。
【０１３５】
図２６に示すように、演出図柄表示装置６２を構成する表示部１９８の表示面６２Ａには、各演出図柄表示領域Ｔ１、Ｔ２、Ｔ３に位置する特別図柄の演出図柄が左側から右側に向かってスクロール表示される。この演出図柄は、演出表示基板１１０により発光制御を受けたドットマトリックス表示素子２００の発光により実現される。このため、表示面６２Ａには、遊技者から見て上下方向にわたって３つの演出図柄表示領域Ｔ１、Ｔ２、Ｔ３が形成されているため、３種類の特別図柄の演出図柄が表示演出されることになる。
【０１３６】
ここで、例えば、図２９に示すように、上演出図柄表示領域Ｔ１及び下演出図柄表示領域Ｔ３に位置する特別図柄の演出図柄がすでに確定停止表示された状態で、中央演出図柄表示領域Ｔ２に位置する特別図柄の演出図柄が確定停止表示されるときに焦点をあてて説明する。
【０１３７】
図３０及び図３１に示すように、中央演出図柄表示領域Ｔ２に位置する特別図柄の演出図柄が表示面６２Ａの左側から表示面６２Ａの中央に向かってスクール表示されるときには、所定のタイミングで、中央演出図柄表示領域上に配置された導光部材２５０Ｂの底面側に位置するドットマトリックス表示素子２００が発光する。
【０１３８】
このとき、特別図柄の演出図柄の一部を表現するドットマトリックス表示素子２００から出射された光は、導光部材２５０Ｂの底面から導光部材２５０Ｂの内部に所定の屈折角度で入射する。導光部材２５０Ｂの内部に入射した光は、導光部材２５０Ｂの内部で拡散しながら進み、やがて周囲の溝部２５８、２６６の溝壁面２５８Ｂ、２６６Ｂなどから出射して遊技者側に進む。導光部材２５０Ｂの表面には、上述した通り、傾斜した複数の溝部２５８、２６６が形成されているため、光がこれらの溝壁面２５８Ｂ、２６６Ｂからあらゆる方向に放出される。
【０１３９】
詳細には、左側の導光部材２５０Ｂの正面側の一側面２６２に形成された溝部２５８の溝壁面２５８Ｂは、上下方向（図２６中矢印Ｘ方向）に開くように傾斜している。このため、導光部材２５０Ｂの一側面２６２に形成された溝部２５８の溝壁面２５８Ｂから外部に出射した光は、上下方向（図２６中矢印Ｘ方向）に大きく拡散（発散）する。また、左側の導光部材２５０Ｂの表示面６２Ａに対して直交する一側面２６２に形成された溝部２５８の溝壁面２５８Ｂは、上下方向（図２６中矢印Ｘ方向）に開くように傾斜している。このため、導光部材２５０Ｂの一側面２６２に形成された溝部２５８の溝壁面２５８Ｂから外部に出射した光は、上下方向（図２６中矢印Ｘ方向）に大きく拡散（発散）する。このため、導光部材２５０Ｂを透過して視認できる特別図柄の演出図柄の一部の表示態様が表示面６２Ａの他の部位で視認できる特別図柄の演出図柄の表示態様と比較して、上下方向（図２６中矢印Ｘ方向）に沿って大きく膨張する。これを見た遊技者は、特別図柄の演出図柄と認識しながらも、特別図柄の演出図柄の特別な演出であると認識する。特に、特別図柄の演出図柄の一部の表示態様を導光部材２５０Ｂを通して特殊な表示態様にすることにより、今までのパチンコ機にはない斬新で面白い演出と認識することになるため、遊技を新鮮なものにすることができるとともに、遊技性を高めることができる。
【０１４０】
また、左側の導光部材２５０Ｂの表示面６２Ａに対して直交する一側面２６４は、上述した通り、遊技最中の遊技者から視認可能になる。これにより、導光部材２５０Ｂの一側面２６４の溝部２５８から出射した光も遊技者に視認されることになり、特別図柄の演出図柄の表示態様を斬新かつ複雑なものにしている。このように、左側の導光部材２５０Ｂの正面側の一側面２６２だけではなく、直交する一側面２６４から出射した光も、相乗効果的に、特別図柄の演出図柄の表示態様を構成して、斬新かつ複雑な演出に寄与することになる。
【０１４１】
なお、図３０では、特別図柄の演出図柄の右側の一部が左側の導光部材２５０Ｂの底面側に位置しており、さらに、図３１では、さらに右側へのスクロール表示が進み、特別図柄の演出図柄の左側の一部が右側の導光部材２５０Ｂの底面側に位置している状態を示す。
【０１４２】
このようにして、図３２に示すように、左側の導光部材２５０Ｂを通過した特別図柄の演出図柄が表示部１９８の表示面６２Ａの左側から中央側に移動する。そして、図３３に示すように、特別図柄の演出図柄が表示部１９８の表示面６２Ａの中央で一時的に確定停止表示される。
【０１４３】
次に、図３４に示すように、中央演出図柄表示領域Ｔ２の中央に確定停止表示されていた特別図柄の演出図柄が表示面６２Ａの中央側から右側に向かってスクロール表示される。
【０１４４】
中央演出図柄表示領域Ｔ２の特別図柄の演出図柄が表示面６２Ａの中央側から右側に向かってスクロール表示されていくと、図３５及び図３６に示すように、やがて、特別図柄の演出図柄が時差的に右側の導光部材２５４Ｂの底面側を通過する。詳細には、図３５に示すように、特別図柄の演出図柄の右側の一部が右側の導光部材２５４Ｂの底面側に位置しており、さらに、右側へのスクロール表示が進むと、図３６に示すように、特別図柄の演出図柄の左側の一部が右側の導光部材２５４Ｂの底面側に位置している状態になる。このような場合でも、特別図柄の演出図柄は、中央側から右側の方向に直線上に移動していくかのように見えるが、右側の導光部材２５４Ｂの底面側に配置されたドットマトリックス表示素子２００が所定の発光パターンによって時差的に発光しているに過ぎない。そして、右側の導光部材２５４Ｂの底面側を時差的に通過する特別図柄の演出図柄の一部の構成（例えば、演出図柄の左右方向の幅寸法や演出図柄の形状など）の違いにより、導光部材２５４Ｂを通過した光の溝部２７２、２７８の溝壁面２７２Ｂ、２７８Ｂの個数（溝部２７２、２７８の表面積の総和）が変化する。
【０１４５】
詳細には、右側の導光部材２５４Ｂの正面側の一側面２７０に形成された溝部２７２の溝壁面２７２Ｂは、上下方向（図２６中矢印Ｘ方向）に開くように傾斜している。このため、導光部材２５４Ｂの一側面２７０に形成された溝部２７２の溝壁面２７２Ｂから外部に出射した光は、上下方向（図２６中矢印Ｘ方向）に大きく拡散（発散）する。また、右側の導光部材２５４Ｂの表示面６２Ａに対して直交する一側面２７６に形成された溝部２７８の溝壁面２７８Ｂは、上下方向（図２６中矢印Ｘ方向）に開くように傾斜している。このため、導光部材２５４Ｂの一側面２７０に形成された溝部２７２の溝壁面２７２Ｂから外部に出射した光は、上下方向（図２６中矢印Ｘ方向）に大きく拡散（発散）する。このため、導光部材２５４Ｂを透過して視認できる特別図柄の演出図柄の一部の表示態様が表示面６２Ａの他の部位で視認できる特別図柄の演出図柄の表示態様と比較して、上下方向（図２６中矢印Ｘ方向）に沿って大きく膨張する。これらの結果、右側の導光部材２５４Ｂから出射した光の拡散度（発散度）が大きくなるため、右側の導光部材２５４Ｂを介して表示した特別図柄の演出図柄の表示態様が上下方向に大きくなり、特別図柄の演出図柄の演出を一層斬新で複雑な表示態様にすることができる。
【０１４６】
以上のように、左右方向にスクロール表示された特別図柄の演出図柄が左側の導光部材２５０Ｂの底面側と右側の導光部材２５４Ｂの底面側を通過するかのように、複数のドットマトリックス表示素子２００が所定の発光パターンによって発光すると、各導光部材２５０Ｂ、２５４Ｂを透過して構成される特別図柄の演出図柄の一部の表示態様は、スクロール表示の方向に対して略直交する方向（左右方向のスクロール表示に対しては上下方向）に沿って時差的に変化することになる。具体的には、各導光部材２５０Ｂ、２５４Ｂを通過する特別図柄の演出図柄の一部の表示面積の大小によって、各導光部材２５０Ｂ、２５４Ｂを介して視認できる特別図柄の演出図柄の一部の表示態様が、スクロール表示の方向に対して略直交する方向に沿って大きく膨張したり、あるいは縮んだりする。
【０１４７】
詳細には、左側の導光部材２５０Ｂ及び右側の導光部材２５４Ｂを透過する特別図柄の演出図柄の一部の表示面積（導光部材２５０Ｂ、２５４Ｂの底面側に位置するドットマトリックス表示素子２００のうち、発光するマトリックス表示素子２００の個数）によって、特別図柄の演出図柄の上下方向への膨張度も異なるものになる。詳細には、導光部材２５０Ｂ、２５４Ｂを透過する特別図柄の演出図柄の一部の表示面積（導光部材２５０Ｂ、２５４Ｂの底面側に位置するドットマトリックス表示素子２００のうち、発光するマトリックス表示素子２００の個数）が大きく（多く）なれば、特別図柄の演出図柄の上下方向（図２６中矢印Ｘ方向）への膨張度が大きくなり、また、導光部材２５０Ｂ、２５４Ｂを透過する特別図柄の演出図柄の一部の表示面積（導光部材２５０Ｂ、２５４Ｂの底面側に位置するドットマトリックス表示素子２００のうち、発光するマトリックス表示素子２００の個数）が小さく（少なく）なれば、特別図柄の演出図柄の上下方向（図２６中矢印Ｘ方向）への膨張度が小さくなる。これにより、遊技者には特別図柄の演出図柄の演出が斬新な演出に写ることになるため、遊技性を一層高めるための特別図柄の演出図柄の演出を提供することができる。
【０１４８】
さらに、上下方向に隣接する各導光部材２５０Ａ、２５０Ｂ、２５０Ｃ、２５４Ａ、２５４Ｂ、２５４Ｃの間には、黒色の仕切り部材２５２、２５６が設けられており、この仕切り部材２５２、２５６には、ドットマトリックス表示素子２００の光が透過しない。このため、仕切り部材２５２、２５６により各演出図柄表示領域Ｔ１、Ｔ２、Ｔ３ごとに明確に区画する（縁切りする）ことができ、各導光部材２５０Ａ、２５０Ｂ、２５０Ｃ、２５４Ａ、２５４Ｂ、２５４Ｃと各演出図柄表示領域Ｔ１、Ｔ２、Ｔ３との対応関係を明確にさせることができる。これにより、各演出図柄表示領域Ｔ１、Ｔ２、Ｔ３ごとの導光部材２５０Ａ、２５０Ｂ、２５０Ｃ、２５４Ａ、２５４Ｂ、２５４Ｃによる、特別図柄の演出図柄の演出態様を明確に区画することができるため、各演出図柄表示領域Ｔ１、Ｔ２、Ｔ３ごとの特別図柄の演出図柄の演出を際立たせることができ、遊技性を一層高めることができる。
【０１４９】
次に、本発明の第２実施形態に係るパチンコ機の変形例について説明する。
なお、以下の作用及び構成では、表示部１９８、左表示部２８２及び右表示部２８４（図３７参照）の中央演出図柄表示領域Ｔ２を変動表示する特別図柄の演出図柄の演出パターンを例に挙げて説明する。
【０１５０】
図３７に示すように、本変形例は、演出図柄表示装置６２の内部に、所定のスペースが存在すれば、このスペースを利用して表示部１９８を延長する構成である（表示部１９８を大型化する構成である）。
【０１５１】
具体的には、図３７に示すように、表示部１９８の左方にスペースがある場合には、表示部１９８の左側に左表示部２８２を配置する。なお、左表示部２８２は、表示部１９８と一体的に構成されていてもよく、また、表示部１９８とは別個独立して構成されていてもよい。換言すれば、左表示部２８２と表示部１９８とが一体的に構成されていれば、左側の導光部材２５０Ａ、２５０Ｂ、２５０Ｃを表示部１９８の中央寄りに配置させることにより容易に設計することができる。また、表示部１９８の右側にスペースがある場合には、表示部１９８の右側に右表示部２８４を配置する。右表示部２８４は、表示部１９８と一体的に構成されていてもよく、また、表示部１９８とは別個独立して構成されていてもよい。換言すれば、右表示部２８４と表示部１９８とが一体的に構成されていれば、右側の導光部材２５４Ａ、２５４Ｂ、２５４Ｃを表示部１９８の中央寄りに配置させることにより容易に設計することができる。このように、特別図柄の演出図柄が表示部１９８の左右方向にスクロール表示される構成では、表示部１９８の左側のスペースに左表示部２８２を設け、表示部１９８の右側のスペースに右表示部２８４を設けることが好ましい。なお、この場合、左表示部２８２及び右表示部２８４は、露出しており、遊技者に視認可能となるように設定してもよいし、また、装飾役物などの飾りで覆われていて遊技者から視認不可能となるように構成してもよい。
【０１５２】
また、左表示部２８２及び右表示部２８４の構成は、表示部１９８の構成と同様であり、図６に示すような、発光ダイオードからなる多数のドットマトリックス表示素子２００を縦横に配列した基板２０２と、ドットマトリックス表示素子２００にそれぞれ対応する多数の桝目２０４が区画形成された格子状の枠体２０６と、枠体２０６の前面側に貼り付けられた光拡散シート２０８と、で構成されている。
【０１５３】
ここで、例えば、図３８に示すように、上演出図柄表示領域Ｔ１及び下演出図柄表示領域Ｔ３に位置する特別図柄の演出図柄がすでに確定停止表示された状態で、中央演出図柄表示領域Ｔ２に位置する特別図柄の演出図柄が確定停止表示されるときに焦点をあてて説明する。
【０１５４】
このように、左表示部２８２を設けることにより、特別図柄の演出図柄の全体が時差的に左側の導光部材２５０Ａ、２５０Ｂ、２５０Ｃの底面側を通過するかのようにスクロール表示する。詳細には、図３９に示すように、先ず、左表示部２８２のドットマトリックス表示素子２００が演出表示基板１１０により発光制御され、左表示部２８２の中央演出図柄表示領域Ｔ２に特別図柄の演出図柄が表示される。なお、左表示部２８２が露出していないため、左表示部２８２で表示される特別図柄の演出図柄は、遊技している遊技者にとって視認不可能になっている。また、左表示部２８２が露出している構成では、左表示部２８２で表示される特別図柄の演出図柄は、遊技している遊技者にとって視認可能になる。
【０１５５】
次に、左表示部２８２及び表示部１９８のドットマトリックス表示素子２００が演出表示基板１１０により発光制御され、図４０に示すように、左表示部２８２の中央演出図柄表示領域Ｔ２に表示された特別図柄の演出図柄が右方に移動する。このとき、左表示部２８２の中央演出図柄表示領域Ｔ２を右方向に移動した特別図柄の演出図柄の右部の一部の光が左側の導光部材２５０Ｂを透過する。これにより、特別図柄の演出図柄の右部の一部の光が導光部材２５０Ｂの複数の溝部２５８、２６６の溝壁面２５８Ｂ、２６６Ｂから放射され、あたかも上下方向に膨張したかのように演出表示される。
【０１５６】
次に、左表示部２８２及び表示部１９８のドットマトリックス表示素子２００が演出表示基板１１０により発光制御され、図４１に示すように、図４０に示した状態の特別図柄の演出図柄がさらに右方に移動する。このとき、左表示部２８２の中央演出図柄表示領域Ｔ２を右方向に移動した特別図柄の演出図柄の左部の一部の光が左側の導光部材２５０Ｂを透過する。これにより、特別図柄の演出図柄の左部の一部の光が導光部材２５０Ｂの複数の溝部２５８、２６６の溝壁面２５８Ｂ、２６６Ｂから放射され、あたかも上下方向に膨張したかのように演出表示される。このように、図３９から図４１にわたる一連の演出によって、特別図柄の演出図柄が左表示部２８２から出て、表示部１９８の内部に進入していくかのように表示される。
【０１５７】
次に、左表示部２８２及び表示部１９８のドットマトリックス表示素子２００が演出表示基板１１０により発光制御され、図４２に示すように、図４１に示した状態の特別図柄の演出図柄がさらに右方に移動して表示部１９８に進入する。そして、図４３に示すように、特別図柄の演出図柄は、表示部１９８の中央演出図柄表示領域Ｔ２の中央の位置で停止して表示される。さらに、図４４に示すように、図４３に示した状態の特別図柄の演出図柄が表示部１９８をさらに右方に移動する。なお、図４２、図４３及び図４４に示す状態では、特別図柄の演出図柄を演出する光は、左側の導光部材２５０Ｂ及び右側の導光部材２５４Ｂを透過しない。また、表示部１９８は露出しているため、表示部１９８で表示される特別図柄の演出図柄は、遊技している遊技者にとって視認可能になっている。
【０１５８】
次に、表示部１９８及び右表示部２８４のドットマトリックス表示素子２００が演出表示基板１１０により発光制御され、図４５に示すように、図４４に示した状態の特別図柄の演出図柄がさらに右方に移動する。このとき、表示部１９８の中央演出図柄表示領域Ｔ２を右方向に移動した特別図柄の演出図柄の右部の一部の光が右側の導光部材２５４Ｂを透過する。これにより、特別図柄の演出図柄の右部の一部の光が導光部材２５４Ｂの複数の溝部２７２、２７８の溝壁面２７２Ｂ、２７８Ｂから放射され、あたかも上下方向に膨張したかのように演出表示される。なお、図４５に示す状態では、特別図柄の演出図柄の右部の一部が右表示部２８４の中央演出図柄表示領域Ｔ２で演出表示されている。
【０１５９】
次に、表示部１９８及び右表示部２８４のドットマトリックス表示素子２００が演出表示基板１１０により発光制御され、図４６に示すように、図４５に示した状態の特別図柄の演出図柄がさらに右方に移動する。このとき、表示部１９８の中央演出図柄表示領域Ｔ２を右方向に移動した特別図柄の演出図柄の左部の一部の光が右側の導光部材Ｔ２を透過する。これにより、特別図柄の演出図柄の左部の一部の光が導光部材２５４Ｂの複数の溝部２７２、２７８の溝壁面２７２Ｂ、２７８Ｂから放射され、あたかも上下方向に膨張したかのように演出表示される。なお、図４６に示す状態では、特別図柄の演出図柄の左部の一部が右表示部２８４の中央演出図柄表示領域Ｔ２で演出表示されている。このように、図４３から図４６にわたる演出によって、特別図柄の演出図柄が表示部１９８から出て、右表示部２８４の内部に進入していくかのように表示される。
【０１６０】
次に、表示部１９８及び右表示部２８４のドットマトリックス表示素子２００が演出表示基板１１０により発光制御され、図４７に示すように、図４６に示した状態の特別図柄の演出図柄がさらに右方に移動する。そして、特別図柄の演出図柄は、右表示部２８４の中央演出図柄表示領域Ｔ２の中央の位置で停止して表示される。なお、図４７に示す状態では、特別図柄の演出図柄を演出する光は、左側の導光部材２５０Ｂ及び右側の導光部材２５４Ｂを透過しない。なお、右表示部２８４が露出していないため、右表示部２８４で表示される特別図柄の演出図柄は、遊技している遊技者にとって視認不可能になっている。また、右表示部２８４が露出している構成では、右表示部２８４で表示される特別図柄の演出図柄は、遊技している遊技者にとって視認可能になる。
【０１６１】
以上説明したように、遊技者には、特別図柄の演出図柄が、表示部１９８の左側から右側の方向に向って直線上に移動していくかのように見え、左側の導光部材２５０Ｂと右側の導光部材２５４Ｂの底面側を特別図柄の演出図柄が時差的に通過していくことになる。このとき、導光部材２５０Ｂ、２５４Ｂの底面側を時差的に通過する特別図柄の演出図柄の一部の構成（例えば、演出図柄の上下方向の幅寸法や演出図柄の形状など）の違いにより、導光部材２５０Ｂ、２５４Ｂを通過した光の溝部２５８、２６６、２７２、２７８の溝壁面２５８Ｂ、２６６Ｂ、２７２Ｂ、２７８Ｂの個数（溝部２５８、２６６、２７２、２７８の表面積の総和）が変化する。この結果、導光部材２５０Ｂ、２５４Ｂから出射した光の拡散度（発散度）が大きくなるため、導光部材２５０Ｂ、２５４Ｂを介して表示した特別図柄の演出図柄の表示態様が大きく異なり、特別図柄の演出図柄の演出を一層斬新で複雑な表示態様にすることができる。
【０１６２】
特に、左表示部２８２から表示部１９８を経て右表示部２８４にかけて、特別図柄の演出図柄が左右方向にスクロール表示される場合、特別図柄の演出図柄が各導光部材２５０Ｂ、２５４Ｂの底面側を通過するときに特別図柄の演出図柄の一部が各導光部材２５０Ｂ、２５４Ｂを透過すると（換言すれば、各導光部材２５０Ｂ、２５４Ｂの底面側に配置されたドットマトリックス表示素子２００が発光すると）、特別図柄の演出図柄の一部が大きく膨張しているかのように視認できる。なぜなら、各導光部材２５０Ｂ、２５４Ｂの各一側面２６２、２６４、２７０、２７６に形成された各溝部２５８、２６６、２７２、２７８の溝壁面２５８Ｂ、２６６Ｂ、２７２Ｂ、２７８Ｂが上下方向（図３７中矢印Ｘ方向）に向って傾斜した傾斜面を構成しているため、各導光部材２５０Ｂ、２５４Ｂの一側面２６２、２６４、２７０、２７６から外部に放出される光は、上下方向（図３７中矢印Ｘ方向）に拡散（散乱）するからである。このような状況で、特別図柄の演出図柄が左右方向（図３７中矢印Ｙ方向）にスクロール表示された場合、特別図柄の演出図柄が各導光部材２５０Ｂ、２５４Ｂの底面側を通過するときに特別図柄の演出図柄の一部が上下方向（図３７中矢印Ｘ方向）に膨張するため、特別図柄の演出図柄の表示態様に大きな変化を持たせることができる。この結果、特別図柄の演出図柄の演出に意外性と斬新性が加わり、遊技に対する装飾効果が向上して、遊技興趣を高めることができる。
【０１６３】
なお、第２実施形態では、左右方向に移動する演出図柄のスクロール表示について、遊技者から見て左側から右側に移動する形態を示したが、この方向に限られるものではなく、遊技者から見て右側から左側に移動する形態でもよい。例えば、遊技者から見て表示部１９８の右側から左側にスクロール表示させたり、右表示部２８４から表示部１９８を経て左表示部２８２の順番にスクロール表示させてもよい。
【符号の説明】
【０１６４】
１０      パチンコ機（遊技機）
６２      演出図柄表示装置
１９８    表示部（演出図柄表示装置）
２００    ドットマトリックス表示素子
２０２    基板
２０４    桝目
２０６    枠体
２１０Ａ、２１０Ｂ、２１０Ｃ    導光部材
２１２    仕切り部材
２１４Ａ、２１４Ｂ、２１４Ｃ    導光部材
２１６    仕切り部材
２１８    溝部（拡散部）
２２６    溝部（拡散部）
２３０    溝部（拡散部）
２３８    溝部（拡散部）
２５０Ａ、２５０Ｂ、２５０Ｃ    導光部材
２５２    仕切り部材
２５４Ａ、２５４Ｂ、２５４Ｃ    導光部材
２５６    仕切り部材
２５８    溝部（拡散部）
２６６    溝部（拡散部）
２７２    溝部（拡散部）
２７８    溝部（拡散部）
【図１】
2010213942.tif 000003
【図２】
2010213942.tif 000004
【図３】
2010213942.tif 000005
【図４】
2010213942.tif 000006
【図５】
2010213942.tif 000007
【図６】
2010213942.tif 000008
【図７】
2010213942.tif 000009
【図８】
2010213942.tif 000010
【図９】
2010213942.tif 000011
【図１０】
2010213942.tif 000012
【図１１】
2010213942.tif 000013
【図１２】
2010213942.tif 000014
【図１３】
2010213942.tif 000015
【図１４】
2010213942.tif 000016
【図１５】
2010213942.tif 000017
【図１６】
2010213942.tif 000018
【図１７】
2010213942.tif 000019
【図１８】
2010213942.tif 000020
【図１９】
2010213942.tif 000021
【図２０】
2010213942.tif 000022
【図２１】
2010213942.tif 000023
【図２２】
2010213942.tif 000024
【図２３】
2010213942.tif 000025
【図２４】
2010213942.tif 000026
【図２５】
2010213942.tif 000027
【図２６】
2010213942.tif 000028
【図２７】
2010213942.tif 000029
【図２８】
2010213942.tif 000030
【図２９】
2010213942.tif 000031
【図３０】
2010213942.tif 000032
【図３１】
2010213942.tif 000033
【図３２】
2010213942.tif 000034
【図３３】
2010213942.tif 000035
【図３４】
2010213942.tif 000036
【図３５】
2010213942.tif 000037
【図３６】
2010213942.tif 000038
【図３７】
2010213942.tif 000039
【図３８】
2010213942.tif 000040
【図３９】
2010213942.tif 000041
【図４０】
2010213942.tif 000042
【図４１】
2010213942.tif 000043
【図４２】
2010213942.tif 000044
【図４３】
2010213942.tif 000045
【図４４】
2010213942.tif 000046
【図４５】
2010213942.tif 000047
【図４６】
2010213942.tif 000048
【図４７】
2010213942.tif 000049